(57)【要約】  【課題】  自機側でＩＰ網およびＰＳＴＮ網それぞれを利用可能で、各通信網の特性を考慮した通信を実施可能な通信装置の提供。  【解決手段】  複合機１は、アダプタ３経由でＰＳＴＮ網４およびＩＰ網５の双方を自機側通信網として利用することができる。通信先機器が利用する他機側通信網は、ＰＳＴＮ網４、ＩＰ網５、携帯電話網６などであり、複合機１は、自機側通信網と他機側通信網の組み合わせに応じて、通話時の音声に異なる信号処理を施す。また、複合機１がファクシミリ画像の送受信を行う際には、自機側通信網と他機側通信網の組み合わせに応じて、異なる初期通信速度でファクシミリ画像の伝送を行う。【選択図】  図１
2006339845.tif 000002
【特許請求の範囲】
【請求項１】
自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、
前記通信先機器からの着信時に、前記自機側通信網または前記中継装置のいずれかから伝送されてくる着信通知用信号に基づいて、前記ＩＰ網経由の着信か前記ＰＳＴＮ網経由の着信かを判定する着信時自機側通信網判定手段と、
前記着信時自機側通信網判定手段によって前記ＩＰ網経由の着信と判定された場合と前記ＰＳＴＮ網経由の着信と判定された場合とでは、前記通信先機器との間で伝送される音声信号に対して異なる信号処理を施す音声信号処理手段と
を備えたことを特徴とする通信装置。
【請求項２】
前記通信先機器からの着信時に、前記他機側通信網から伝送されてくる前記通信先機器の電話番号に基づいて、前記他機側通信網の種別を判定する着信時他機側通信網判定手段を備え、
前記音声信号処理手段は、前記着信時自機側通信網判定手段によって判定された判定結果と前記着信時他機側通信網判定手段によって判定された判定結果との組み合わせに応じて、前記通信先機器との間で伝送される音声信号に対して異なる信号処理を施す
ことを特徴とする請求項１に記載の通信装置。
【請求項３】
自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、
前記通信先機器への発信時に、利用者が行った入力操作または前記通信先機器の電話番号に基づいて、前記ＩＰ網経由の発信か前記ＰＳＴＮ網経由の発信かを判定する発信時自機側通信網判定手段と、
前記発信時自機側通信網判定手段によって前記ＩＰ網経由の発信と判定された場合と前記ＰＳＴＮ網経由の発信と判定された場合とでは、前記通信先機器との間で伝送される音声信号に対して異なる信号処理を施す音声信号処理手段と
を備えたことを特徴とする通信装置。
【請求項４】
前記通信先機器への発信時に、前記通信先機器の電話番号に基づいて、前記他機側通信網の種別を判定する発信時他機側通信網判定手段を備え、
前記音声信号処理手段は、前記発信時自機側通信網判定手段によって判定された判定結果と前記発信時他機側通信網判定手段によって判定された判定結果との組み合わせに応じて、前記通信先機器との間で伝送される音声信号に対して異なる信号処理を施す
ことを特徴とする請求項３に記載の通信装置。
【請求項５】
自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、
前記通信先機器からの着信時に、前記自機側通信網または前記中継装置のいずれかから伝送されてくる着信通知用信号に基づいて、前記ＩＰ網経由の着信か前記ＰＳＴＮ網経由の着信かを判定する着信時自機側通信網判定手段と、
前記通信先機器への発信時に、利用者が行った入力操作または前記通信先機器の電話番号に基づいて、前記ＩＰ網経由の発信か前記ＰＳＴＮ網経由の発信かを判定する発信時自機側通信網判定手段と、
前記着信時自機側通信網判定手段によって前記ＩＰ網経由の着信と判定された場合と前記ＰＳＴＮ網経由の着信と判定された場合とでは、前記通信先機器との間で伝送される音声信号に対して異なる信号処理を施し、しかも、前記発信時自機側通信網判定手段によって前記ＩＰ網経由の発信と判定された場合と前記ＰＳＴＮ網経由の発信と判定された場合とでは、前記通信先機器との間で伝送される音声信号に対して異なる信号処理を施す音声信号処理手段と
を備えたことを特徴とする通信装置。
【請求項６】
前記通信先機器からの着信時に、前記他機側通信網から伝送されてくる前記通信先機器の電話番号に基づいて、前記他機側通信網の種別を判定する着信時他機側通信網判定手段と、
前記通信先機器への発信時に、前記通信先機器の電話番号に基づいて、前記他機側通信網の種別を判定する発信時他機側通信網判定手段を備え、
前記音声信号処理手段は、前記着信時自機側通信網判定手段によって判定された判定結果と前記着信時他機側通信網判定手段によって判定された判定結果との組み合わせに応じて、前記通信先機器との間で伝送される音声信号に対して異なる信号処理を施し、しかも、前記発信時自機側通信網判定手段によって判定された判定結果と前記発信時他機側通信網判定手段によって判定された判定結果との組み合わせに応じて、前記通信先機器との間で伝送される音声信号に対して異なる信号処理を施す
ことを特徴とする請求項５に記載の通信装置。
【請求項７】
第１の通信先機器との通信中に第２の通信先機器から着信した場合に、前記自機側通信網または前記中継装置のいずれかから伝送されてくる着信通知用信号に基づいて、前記第２の通信先機器からの着信が、前記ＩＰ網経由の着信か前記ＰＳＴＮ網経由の着信かを判定する通話中着信時自機側通信網判定手段を備え、
前記音声信号処理手段は、前記通話中着信時自機側通信網判定手段によって前記第２の通信先機器からの着信が前記ＩＰ網経由の着信と判定された場合と前記ＰＳＴＮ網経由の着信と判定された場合とで、前記第２の通信先機器との間で伝送される音声信号に対して異なる信号処理を施す
ことを特徴とする請求項１〜請求項６のいずれかに記載の通信装置。
【請求項８】
前記第２の通信先機器からの着信時に、前記他機側通信網から伝送されてくる前記第２の通信先機器の電話番号に基づいて、前記他機側通信網の種別を判定する通話中着信時他機側通信網判定手段を備え、
前記音声信号処理手段は、前記通話中着信時自機側通信網判定手段によって判定された判定結果と前記通話中着信時他機側通信網判定手段によって判定された判定結果との組み合わせに応じて、前記第２の通信先機器との間で伝送される音声信号に対して異なる信号処理を施す
ことを特徴とする請求項７に記載の通信装置。
【請求項９】
ファクシミリ機能を有する装置であり、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、
前記通信先機器からの着信時に、前記自機側通信網または前記中継装置のいずれかから伝送されてくる着信通知用信号に基づいて、前記ＩＰ網経由の着信か前記ＰＳＴＮ網経由の着信かを判定する着信時自機側通信網判定手段と、
前記通信先機器との間でファクシミリ画像を伝送する際に、前記着信時自機側通信網判定手段によって前記ＩＰ網経由の着信と判定された場合と前記ＰＳＴＮ網経由の着信と判定された場合とでは、異なる通信速度でファクシミリ画像の伝送を行う通信制御手段と
を備えたことを特徴とする通信装置。
【請求項１０】
前記通信先機器からの着信時に、前記他機側通信網から伝送されてくる前記通信先機器の電話番号に基づいて、前記他機側通信網の種別を判定する着信時他機側通信網判定手段を備え、
前記通信制御手段は、前記着信時自機側通信網判定手段によって判定された判定結果と前記着信時他機側通信網判定手段によって判定された判定結果との組み合わせに応じて、異なる通信速度でファクシミリ画像の伝送を行う
ことを特徴とする請求項９に記載の通信装置。
【請求項１１】
ファクシミリ機能を有する装置であり、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、
前記通信先機器への発信時に、利用者が行った入力操作または前記通信先機器の電話番号に基づいて、前記ＩＰ網経由の発信か前記ＰＳＴＮ網経由の発信かを判定する発信時自機側通信網判定手段と、
前記通信先機器との間でファクシミリ画像を伝送する際に、前記発信時自機側通信網判定手段によって前記ＩＰ網経由の発信と判定された場合と前記ＰＳＴＮ網経由の発信と判定された場合とでは、異なる通信速度でファクシミリ画像の伝送を行う通信制御手段と
を備えたことを特徴とする通信装置。
【請求項１２】
前記通信先機器への発信時に、前記通信先機器の電話番号に基づいて、前記他機側通信網の種別を判定する発信時他機側通信網判定手段を備え、
前記通信制御手段は、前記発信時自機側通信網判定手段によって判定された判定結果と前記発信時他機側通信網判定手段によって判定された判定結果との組み合わせに応じて、異なる通信速度でファクシミリ画像の伝送を行う
ことを特徴とする請求項１１に記載の通信装置。
【請求項１３】
ファクシミリ機能を有する装置であり、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、
前記通信先機器からの着信時に、前記自機側通信網または前記中継装置のいずれかから伝送されてくる着信通知用信号に基づいて、前記ＩＰ網経由の着信か前記ＰＳＴＮ網経由の着信かを判定する着信時自機側通信網判定手段と、
前記通信先機器への発信時に、利用者が行った入力操作または前記通信先機器の電話番号に基づいて、前記ＩＰ網経由の発信か前記ＰＳＴＮ網経由の発信かを判定する発信時自機側通信網判定手段と、
前記通信先機器との間でファクシミリ画像を伝送する際に、前記着信時自機側通信網判定手段によって前記ＩＰ網経由の着信と判定された場合と前記ＰＳＴＮ網経由の着信と判定された場合とでは、異なる通信速度でファクシミリ画像の伝送を行い、しかも、前記発信時自機側通信網判定手段によって前記ＩＰ網経由の発信と判定された場合と前記ＰＳＴＮ網経由の発信と判定された場合とでは、異なる通信速度でファクシミリ画像の伝送を行う通信制御手段と
を備えたことを特徴とする通信装置。
【請求項１４】
前記通信先機器からの着信時に、前記他機側通信網から伝送されてくる前記通信先機器の電話番号に基づいて、前記他機側通信網の種別を判定する着信時他機側通信網判定手段と、
前記通信先機器への発信時に、前記通信先機器の電話番号に基づいて、前記他機側通信網の種別を判定する発信時他機側通信網判定手段を備え、
前記通信制御手段は、前記着信時自機側通信網判定手段によって判定された判定結果と前記着信時他機側通信網判定手段によって判定された判定結果との組み合わせに応じて、異なる通信速度でファクシミリ画像の伝送を行い、しかも、前記発信時自機側通信網判定手段によって判定された判定結果と前記発信時他機側通信網判定手段によって判定された判定結果との組み合わせに応じて、異なる通信速度でファクシミリ画像の伝送を行う
ことを特徴とする請求項１３に記載の通信装置。
【請求項１５】
自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置に内蔵されたコンピュータを、請求項１〜請求項１４のいずれかに記載の通信装置が備える各手段として機能させるためのプログラム。
【発明の詳細な説明】
【技術分野】
【０００１】
本発明は、ＩＰ網およびＰＳＴＮ網の双方に接続された中継装置に接続されることにより、ＩＰ網およびＰＳＴＮ網のそれぞれを自機側通信網として利用可能な通信装置に関する。
【背景技術】
【０００２】
近年、ＩＰ網が広く普及したことに伴い、ＩＰ網を利用して通話を行うＩＰ電話の利用者が急速に増えている。ＩＰ電話を利用するには、専用のＩＰ電話機を利用する方法もあるが、既存のアナログ電話機とＩＰ網とを接続するための中継装置であるＩＰ電話用アダプタを付加すれば、既存のアナログ電話機をＩＰ電話機としても利用することができる。
【０００３】
この種のＩＰ電話用アダプタは、接続形態や各種機能等の違いにより、ＩＰ電話対応ＡＤＳＬモデム、ＩＰ電話対応ブロードバンドルータ、あるいは、ＶｏＩＰアダプタなど、様々な名称で呼ばれるが、各装置とも、何らかのかたちでＩＰ網およびＰＳＴＮ網の双方に接続され、アナログ電話機が単一の通信線で各装置に接続されるのは共通である。
【０００４】
そして、ＩＰ電話用アダプタに接続されたアナログ電話機を使って通話を行う場合には、ＩＰ電話用アダプタが、事前の設定や利用者の指定等に応じてＩＰ網またはＰＳＴＮ網のいずれかを択一的に選択し、選択した通信網とアナログ電話機との間を中継する。
【０００５】
ところで、上記のようなＩＰ電話用アダプタおよびアナログ電話機を利用する場合、ＩＰ網経由の音声とＰＳＴＮ網経由の音声には、音量や音質に違いがある。そのため、いずれか一方の通信網経由の音声が聞き取りやすくなるようにアナログ電話機の音響特性を調節しても、他方の通信網経由の音声については、必ずしも聞き取りやすくならないことがあった。
【０００６】
ここで、通信網の種類によって音量に違いがあることは、例えば、下記特許文献１においても指摘されている。この特許文献１に記載の技術は、デジタル回線網（ＩＳＤＮ網）の回線から受信されるメッセージ中の経過識別子内の経過内容により、通信相手がデジタル回線網（ＩＳＤＮ網）の加入者かアナログ回線網（ＰＳＴＮ網）の加入者かを識別し、識別した回線網の種類によって音声の増幅を制御することで、音声の信号レベル（＝音量レベル）を均一化しようとする技術である。
【特許文献１】特開平４−２０８７４２号公報
【発明の開示】
【発明が解決しようとする課題】
【０００７】
しかしながら、上記特許文献１に記載の技術は、自機側がデジタル回線網に接続されたデジタル電話機であることを前提とする技術であり、デジタル電話機に届くパケットの中身から情報を得るようになっていたため、自機側がＩＰ電話用アダプタに接続されたアナログ電話機である場合には、上記技術を採用することはできなかった。
【０００８】
また、上記特許文献１に記載の技術は、あくまでも通信相手である他機がデジタル回線網の加入者か非加入者かを識別しているに過ぎず、自機側通信網としては１種の回線（デジタル回線）のみを利用している。すなわち、自機側通信網として２種の回線（例えば、ＩＰ網とＰＳＴＮ網）のいずれかを択一的に利用できる構成にはなっておらず、それ故、自機側通信網の種別を識別する構成は備えていなかった。
【０００９】
したがって、上述の通り、ＩＰ網経由の音声とＰＳＴＮ網経由の音声には音量や音質に違いがあるものの、上記特許文献１に記載の技術では、こうした音量や音質の違いを解消することはできなかった。
【００１０】
本発明は、上記問題を解決するためになされたものであり、その目的は、ＩＰ網およびＰＳＴＮ網の双方に接続された中継装置に接続されることにより、ＩＰ網およびＰＳＴＮ網のそれぞれを自機側通信網として利用可能な通信装置において、ＩＰ網およびＰＳＴＮ網それぞれの特性を考慮した通信を実施可能とすることにある。
【課題を解決するための手段】
【００１１】
以下、本発明において採用した特徴的構成について説明する。
まず、請求項１に記載の通信装置は、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、前記通信先機器からの着信時に、前記自機側通信網または前記中継装置のいずれかから伝送されてくる着信通知用信号に基づいて、前記ＩＰ網経由の着信か前記ＰＳＴＮ網経由の着信かを判定する着信時自機側通信網判定手段と、前記着信時自機側通信網判定手段によって前記ＩＰ網経由の着信と判定された場合と前記ＰＳＴＮ網経由の着信と判定された場合とでは、前記通信先機器との間で伝送される音声信号に対して異なる信号処理を施す音声信号処理手段とを備えたことを特徴とする。
【００１２】
この通信装置によれば、着信時に伝送されてくる着信通知用信号に基づいて、自機が利用している自機側通信網を特定し、特定した自機側通信網に応じて、通信先機器との間で伝送される音声信号に対して異なる信号処理を施す。
【００１３】
したがって、例えば、ＩＰ網経由の着信時にはＩＰ網経由の音声が聞き取りやすくなるような第１の信号処理を施すようにし、しかも、ＰＳＴＮ網経由の着信時にはＰＳＴＮ網経由の音声が聞き取りやすくなるような第２の信号処理を施すようにすることができる。
【００１４】
ＩＰ網経由の着信時とＰＳＴＮ網経由の着信時とで、通信先機器との間で伝送される音声信号に対して同じ信号処理しか施せない通信装置の場合、例えば、ＩＰ網経由の音声が聞き取りやすくなるような第１の信号処理を施そうとすると、ＰＳＴＮ網経由の着信時にも第１の信号処理が施される結果、必ずしもＰＳＴＮ網経由の音声が聞き取りやすくならないことがあり、ＰＳＴＮ網経由の音声が聞き取りやすくなるような第２の信号処理を施そうとすると、ＩＰ網経由の着信時にも第２の信号処理が施される結果、必ずしもＩＰ網経由の音声が聞き取りやすくならないことがあるが、この点、請求項１に記載の通信装置であれば、ＩＰ網経由の音声およびＰＳＴＮ網経由の音声どちらをも聞き取りやすい音声にすることができる。
【００１５】
なお、音声信号処理手段による信号処理については、具体的な処理内容がいくつか考えられ、例えば、音量を増減する処理、エコーキャンセルの効き具合を変える処理、ノイズの多い周波数帯をカットする処理などを考えることができる。より具体的には、自機側通信網に関し、ＰＳＴＮ網経由の場合とＩＰ網経由の場合とで音量に差がある場合、その差が小さくなるように、ＰＳＴＮ網用とＩＰ網用とで音量を増減する処理の程度を変える。また、ＰＳＴＮ網経由の場合とＩＰ網経由の場合とでエコーの程度に違いがある場合、その違いが小さくなるように、ＰＳＴＮ網用とＩＰ網用とでエコーキャンセルの効き具合を変える。また、ＰＳＴＮ網経由の場合とＩＰ網経由の場合とでノイズの多さやノイズの周波数に違いがある場合、その違いが小さくなるように、ＰＳＴＮ網用とＩＰ網用とでフィルター特性を変える。これらの処理のうち、どの処理をどのように組み合わせて採用するか、また各処理による効果の程度をどの程度とするかなどは任意である。また、これらの処理を組み合わせてなるＰＳＴＮ網用の信号処理とＩＰ網用の信号処理の各処理内容は、利用者が任意には変更できない処理内容があらかじめ決められていてもよいし、利用者が任意に処理内容を変更できるようになっていてもよい。
【００１６】
次に、請求項２に記載の通信装置は、請求項１に記載の通信装置において、前記通信先機器からの着信時に、前記他機側通信網から伝送されてくる前記通信先機器の電話番号に基づいて、前記他機側通信網の種別を判定する着信時他機側通信網判定手段を備え、前記音声信号処理手段は、前記着信時自機側通信網判定手段によって判定された判定結果と前記着信時他機側通信網判定手段によって判定された判定結果との組み合わせに応じて、前記通信先機器との間で伝送される音声信号に対して異なる信号処理を施すことを特徴とする。
【００１７】
この通信装置によれば、着信時に伝送されてくる着信通知用信号に基づいて、自機が利用している自機側通信網を特定し、しかも、着信時に伝送されてくる通信先機器の電話番号に基づいて、通信先機器が利用している他機側通信網を特定し、特定した自機側通信網と他機側通信網の組み合わせに応じて、通信先機器との間で伝送される音声信号に対して異なる信号処理を施す。
【００１８】
したがって、自機側通信網の特性のみを考慮した信号処理ではなく、他機側通信網の特性をも考慮した信号処理を行うことができ、自機側通信網と他機側通信網とがどのような組み合わせとなっても、それに応じて聞き取りやすい音声にすることができる。
【００１９】
なお、電話番号に基づいて判断可能な他機側通信網の種別としては、ＩＰ網、ＰＳＴＮ網、および携帯電話網を挙げることができる。これらは、全てを異なる他機側通信網と認識して信号処理を行うと最も望ましいが、ＩＰ網とＩＰ網以外とを異なる他機側通信網と認識するようにしたり、あるいは、ＰＳＴＮ網とＰＳＴＮ網以外とを異なる他機側通信網と認識するようにしても、相応の効果はある。
【００２０】
また、音声信号処理手段による信号処理については、音量を増減する処理、エコーキャンセルの効き具合を変える処理、ノイズの多い周波数帯をカットする処理など、具体的な処理内容がいくつか考えられるが、この点は請求項１に記載の通信装置の場合と同様である。一例を挙げて説明すれば、他機側通信網がＰＳＴＮ網である場合とＩＰ網である場合と携帯電話網である場合とで音量に差がある場合、その差が小さくなるように音量を増減する処理の程度を変えればよい。エコーキャンセルやノイズカットなども同様である。
【００２１】
次に、請求項３記載の通信装置は、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、前記通信先機器への発信時に、利用者が行った入力操作または前記通信先機器の電話番号に基づいて、前記ＩＰ網経由の発信か前記ＰＳＴＮ網経由の発信かを判定する発信時自機側通信網判定手段と、前記発信時自機側通信網判定手段によって前記ＩＰ網経由の発信と判定された場合と前記ＰＳＴＮ網経由の発信と判定された場合とでは、前記通信先機器との間で伝送される音声信号に対して異なる信号処理を施す音声信号処理手段とを備えたことを特徴とする。
【００２２】
この通信装置において、発信時に利用者が行った入力操作としては、様々な操作を考えることができ、例えば、ＩＰ網またはＰＳＴＮ網を利用者が任意に選択するために設けられた専用の回線選択ボタンが設けられていれば、その回線選択ボタンを押す操作が、発信時に利用者が行った入力操作に該当する。また、通信先機器の電話番号を入力する前に所定の番号（例えば、“００００”）を入力するとＰＳＴＮ網が選択され、その番号を入力しないとＩＰ網が選択される場合、その所定の番号を入力する操作が、発信時に利用者が行った入力操作に該当する。また、通信先機器の電話番号には、必ずＰＳＴＮ網を利用せざるを得ない電話番号（例えば“１１０”等）があるので、そのような電話番号への発信時には、電話番号に基づいて、自機が利用している自機側通信網を特定できる。
【００２３】
このような通信装置によれば、発信時に利用者が行った入力操作または通信先機器の電話番号に基づいて、自機が利用している自機側通信網を特定し、特定した自機側通信網に応じて、通信先機器との間で伝送される音声信号に対して異なる信号処理を施す。
【００２４】
したがって、例えば、ＩＰ網経由の発信時にはＩＰ網経由の音声が聞き取りやすくなるような第１の信号処理を施すようにし、しかも、ＰＳＴＮ網経由の発信時にはＰＳＴＮ網経由の音声が聞き取りやすくなるような第２の信号処理を施すようにすることができ、ＩＰ網経由の音声およびＰＳＴＮ網経由の音声どちらをも聞き取りやすい音声にすることができる。
【００２５】
なお、音声信号処理手段による信号処理については、具体的な処理内容がいくつか考えられるが、この点は、請求項１に記載の通信装置の場合と同様なので、ここでの説明は省略する。
【００２６】
次に、請求項４に記載の通信装置は、請求項３に記載の通信装置において、前記通信先機器への発信時に、前記通信先機器の電話番号に基づいて、前記他機側通信網の種別を判定する発信時他機側通信網判定手段を備え、前記音声信号処理手段は、前記発信時自機側通信網判定手段によって判定された判定結果と前記発信時他機側通信網判定手段によって判定された判定結果との組み合わせに応じて、前記通信先機器との間で伝送される音声信号に対して異なる信号処理を施すことを特徴とする。
【００２７】
この通信装置によれば、発信時に利用者が行った入力操作または通信先機器の電話番号に基づいて、自機が利用している自機側通信網を特定し、しかも、通信先機器の電話番号に基づいて、通信先機器が利用している他機側通信網を特定し、特定した自機側通信網と他機側通信網の組み合わせに応じて、通信先機器との間で伝送される音声信号に対して異なる信号処理を施す。
【００２８】
したがって、自機側通信網の特性のみを考慮した信号処理ではなく、他機側通信網の特性をも考慮した信号処理を行うことができ、自機側通信網と他機側通信網とがどのような組み合わせとなっても、それに応じて聞き取りやすい音声にすることができる。
【００２９】
なお、電話番号に基づいて判断可能な他機側通信網の種別としては、ＩＰ網、ＰＳＴＮ網、および携帯電話網を挙げることができ、この点は請求項２に記載の通信装置の場合と同様である。また、これら全てを異なる他機側通信網と認識して信号処理を行うと最も望ましいが、ＩＰ網とＩＰ網以外とを異なる他機側通信網と認識するようにしたり、あるいは、ＰＳＴＮ網とＰＳＴＮ網以外とを異なる他機側通信網と認識するようにしてもよく、この点も、請求項２に記載の通信装置の場合と同様である。
【００３０】
また、音声信号処理手段による信号処理については、音量を増減する処理、エコーキャンセルの効き具合を変える処理、ノイズの多い周波数帯をカットする処理などを適宜組み合わせて採用でき、この点も請求項２に記載の通信装置の場合と同様である。
【００３１】
次に、請求項５に記載の通信装置は、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、前記通信先機器からの着信時に、前記自機側通信網または前記中継装置のいずれかから伝送されてくる着信通知用信号に基づいて、前記ＩＰ網経由の着信か前記ＰＳＴＮ網経由の着信かを判定する着信時自機側通信網判定手段と、前記通信先機器への発信時に、利用者が行った入力操作または前記通信先機器の電話番号に基づいて、前記ＩＰ網経由の発信か前記ＰＳＴＮ網経由の発信かを判定する発信時自機側通信網判定手段と、前記着信時自機側通信網判定手段によって前記ＩＰ網経由の着信と判定された場合と前記ＰＳＴＮ網経由の着信と判定された場合とでは、前記通信先機器との間で伝送される音声信号に対して異なる信号処理を施し、しかも、前記発信時自機側通信網判定手段によって前記ＩＰ網経由の発信と判定された場合と前記ＰＳＴＮ網経由の発信と判定された場合とでは、前記通信先機器との間で伝送される音声信号に対して異なる信号処理を施す音声信号処理手段とを備えたことを特徴とする。
【００３２】
この通信装置は、請求項１に記載の通信装置が備える各手段および請求項３に記載の通信装置が備える各手段に相当する手段を兼ね備えている。
したがって、例えば、ＩＰ網経由の着信時にも発信時にもＩＰ網経由の音声が聞き取りやすくなるような第１の信号処理を施すようにし、しかも、ＰＳＴＮ網経由の着信時にも発信時にもＰＳＴＮ網経由の音声が聞き取りやすくなるような第２の信号処理を施すようにすることができ、ＩＰ網経由の音声およびＰＳＴＮ網経由の音声どちらをも聞き取りやすい音声にすることができる。
【００３３】
次に、請求項６に記載の通信装置は、請求項５に記載の通信装置において、前記通信先機器からの着信時に、前記他機側通信網から伝送されてくる前記通信先機器の電話番号に基づいて、前記他機側通信網の種別を判定する着信時他機側通信網判定手段と、前記通信先機器への発信時に、前記通信先機器の電話番号に基づいて、前記他機側通信網の種別を判定する発信時他機側通信網判定手段を備え、前記音声信号処理手段は、前記着信時自機側通信網判定手段によって判定された判定結果と前記着信時他機側通信網判定手段によって判定された判定結果との組み合わせに応じて、前記通信先機器との間で伝送される音声信号に対して異なる信号処理を施し、しかも、前記発信時自機側通信網判定手段によって判定された判定結果と前記発信時他機側通信網判定手段によって判定された判定結果との組み合わせに応じて、前記通信先機器との間で伝送される音声信号に対して異なる信号処理を施すことを特徴とする。
【００３４】
この通信装置は、請求項２に記載の通信装置が備える各手段および請求項４に記載の通信装置が備える各手段に相当する手段を兼ね備えている。
したがって、自機側通信網の特性のみを考慮した信号処理ではなく、他機側通信網の特性をも考慮した信号処理を行うことができ、自機側通信網と他機側通信網とがどのような組み合わせとなっても、それに応じて聞き取りやすい音声にすることができる。
【００３５】
次に、請求項７に記載の通信装置は、請求項１〜請求項６のいずれかに記載の通信装置において、第１の通信先機器との通信中に第２の通信先機器から着信した場合に、前記自機側通信網または前記中継装置のいずれかから伝送されてくる着信通知用信号に基づいて、前記第２の通信先機器からの着信が、前記ＩＰ網経由の着信か前記ＰＳＴＮ網経由の着信かを判定する通話中着信時自機側通信網判定手段を備え、前記音声信号処理手段は、前記通話中着信時自機側通信網判定手段によって前記第２の通信先機器からの着信が前記ＩＰ網経由の着信と判定された場合と前記ＰＳＴＮ網経由の着信と判定された場合とで、前記第２の通信先機器との間で伝送される音声信号に対して異なる信号処理を施すことを特徴とする。
【００３６】
この通信装置によれば、第１の通信先機器との通信中に第２の通信先機器から着信した場合にも、第２の通信先機器からの着信に関し、自機が利用する自機側通信網を特定し、特定した自機側通信網に応じて、通信先機器との間で伝送される音声信号に対して異なる信号処理を施す。
【００３７】
したがって、第２の通信先機器に関しても、例えば、ＩＰ網経由の着信時にはＩＰ網経由の音声が聞き取りやすくなるような第１の信号処理を施すようにし、しかも、ＰＳＴＮ網経由の着信時にはＰＳＴＮ網経由の音声が聞き取りやすくなるような第２の信号処理を施すようにすることができ、ＩＰ網経由の音声およびＰＳＴＮ網経由の音声どちらをも聞き取りやすい音声にすることができる。
【００３８】
次に、請求項８に記載の通信装置は、請求項７に記載の通信装置において、前記第２の通信先機器からの着信時に、前記他機側通信網から伝送されてくる前記第２の通信先機器の電話番号に基づいて、前記他機側通信網の種別を判定する通話中着信時他機側通信網判定手段を備え、前記音声信号処理手段は、前記通話中着信時自機側通信網判定手段によって判定された判定結果と前記通話中着信時他機側通信網判定手段によって判定された判定結果との組み合わせに応じて、前記第２の通信先機器との間で伝送される音声信号に対して異なる信号処理を施すことを特徴とする。
【００３９】
この通信装置によれば、第２の通信先機器からの着信時にも、その着信時に伝送されてくる着信通知用信号に基づいて、自機が利用している自機側通信網を特定し、しかも、着信時に伝送されてくる通信先機器の電話番号に基づいて、通信先機器が利用している他機側通信網を特定し、特定した自機側通信網と他機側通信網の組み合わせに応じて、通信先機器との間で伝送される音声信号に対して異なる信号処理を施す。
【００４０】
したがって、第２の通信先機器に関しても、自機側通信網の特性のみを考慮した信号処理ではなく、他機側通信網の特性をも考慮した信号処理を行うことができ、自機側通信網と他機側通信網とがどのような組み合わせとなっても、それに応じて聞き取りやすい音声にすることができる。
【００４１】
次に、請求項９に記載の通信装置は、ファクシミリ機能を有する装置であり、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、前記通信先機器からの着信時に、前記自機側通信網または前記中継装置のいずれかから伝送されてくる着信通知用信号に基づいて、前記ＩＰ網経由の着信か前記ＰＳＴＮ網経由の着信かを判定する着信時自機側通信網判定手段と、前記通信先機器との間でファクシミリ画像を伝送する際に、前記着信時自機側通信網判定手段によって前記ＩＰ網経由の着信と判定された場合と前記ＰＳＴＮ網経由の着信と判定された場合とでは、異なる通信速度でファクシミリ画像の伝送を行う通信制御手段とを備えたことを特徴とする。
【００４２】
この通信装置は、ファクシミリ画像の伝送を行う点で、請求項１に記載の通信装置とは相違するが、着信時自機側通信網判定手段を備えている点で、請求項１に記載の通信装置と共通の主要部を備えているものである。
【００４３】
この通信装置によれば、着信時に伝送されてくる着信通知用信号に基づいて、自機が利用している自機側通信網を特定し、特定した自機側通信網に応じて、異なる通信速度でファクシミリ画像の伝送を行う。
【００４４】
したがって、例えば、遅延の発生しやすいＩＰ網経由の着信時には通信速度を遅めにして、通信エラーの発生を抑制することができ、一方、遅延の発生しにくいＰＳＴＮ網経由の着信時には通信速度を速めにして、迅速にファクシミリ画像の伝送を完了させることができる。
【００４５】
次に、請求項１０に記載の通信装置は、請求項９に記載の通信装置において、前記通信先機器からの着信時に、前記他機側通信網から伝送されてくる前記通信先機器の電話番号に基づいて、前記他機側通信網の種別を判定する着信時他機側通信網判定手段を備え、前記通信制御手段は、前記着信時自機側通信網判定手段によって判定された判定結果と前記着信時他機側通信網判定手段によって判定された判定結果との組み合わせに応じて、異なる通信速度でファクシミリ画像の伝送を行うことを特徴とする。
【００４６】
この通信装置は、ファクシミリ画像の伝送を行う点で、請求項２に記載の通信装置とは相違するが、着信時自機側通信網判定手段および着信時他機側通信網判定手段を備えている点で、請求項２に記載の通信装置と共通の主要部を備えているものである。
【００４７】
この通信装置によれば、着信時に伝送されてくる着信通知用信号に基づいて、自機が利用している自機側通信網を特定し、しかも、着信時に伝送されてくる通信先機器の電話番号に基づいて、通信先機器が利用している他機側通信網を特定し、特定した自機側通信網と他機側通信網の組み合わせに応じて、異なる通信速度でファクシミリ画像の伝送を行う。
【００４８】
したがって、自機側通信網の特性のみを考慮した通信速度ではなく、他機側通信網の特性をも考慮した通信速度で、ファクシミリ画像の伝送を行うことができ、自機側通信網と他機側通信網とがどのような組み合わせとなっても、それに応じて通信エラーの発生を抑制したり迅速にファクシミリ画像の伝送を完了させたりすることができる。
【００４９】
次に、請求項１１に記載の通信装置は、ファクシミリ機能を有する装置であり、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、前記通信先機器への発信時に、利用者が行った入力操作または前記通信先機器の電話番号に基づいて、前記ＩＰ網経由の発信か前記ＰＳＴＮ網経由の発信かを判定する発信時自機側通信網判定手段と、前記通信先機器との間でファクシミリ画像を伝送する際に、前記発信時自機側通信網判定手段によって前記ＩＰ網経由の発信と判定された場合と前記ＰＳＴＮ網経由の発信と判定された場合とでは、異なる通信速度でファクシミリ画像の伝送を行う通信制御手段とを備えたことを特徴とする。
【００５０】
この通信装置は、ファクシミリ画像の伝送を行う点で、請求項３に記載の通信装置とは相違するが、発信時自機側通信網判定手段を備えている点で、請求項３に記載の通信装置と共通の主要部を備えているものである。
【００５１】
この通信装置によれば、利用者が行った入力操作または通信先機器の電話番号に基づいて、自機が利用している自機側通信網を特定し、特定した自機側通信網に応じて、異なる通信速度でファクシミリ画像の伝送を行う。
【００５２】
したがって、例えば、遅延の発生しやすいＩＰ網経由の発信時には通信速度を遅めにして、通信エラーの発生を抑制することができ、一方、遅延の発生しにくいＰＳＴＮ網経由の発信時には通信速度を速めにして、迅速にファクシミリ画像の伝送を完了させることができる。
【００５３】
次に、請求項１２に記載の通信装置は、請求項１１に記載の通信装置において、前記通信先機器への発信時に、前記通信先機器の電話番号に基づいて、前記他機側通信網の種別を判定する発信時他機側通信網判定手段を備え、前記通信制御手段は、前記発信時自機側通信網判定手段によって判定された判定結果と前記発信時他機側通信網判定手段によって判定された判定結果との組み合わせに応じて、異なる通信速度でファクシミリ画像の伝送を行うことを特徴とする。
【００５４】
この通信装置は、ファクシミリ画像の伝送を行う点で、請求項４に記載の通信装置とは相違するが、発信時自機側通信網判定手段および発信時他機側通信網判定手段を備えている点で、請求項４に記載の通信装置と共通の主要部を備えているものである。
【００５５】
この通信装置によれば、利用者が行った入力操作または通信先機器の電話番号に基づいて、自機が利用している自機側通信網を特定し、しかも、通信先機器の電話番号に基づいて、通信先機器が利用している他機側通信網を特定し、特定した自機側通信網と他機側通信網の組み合わせに応じて、異なる通信速度でファクシミリ画像の伝送を行う。
【００５６】
したがって、自機側通信網の特性のみを考慮した通信速度ではなく、他機側通信網の特性をも考慮した通信速度で、ファクシミリ画像の伝送を行うことができ、自機側通信網と他機側通信網とがどのような組み合わせとなっても、それに応じて通信エラーの発生を抑制したり迅速にファクシミリ画像の伝送を完了させたりすることができる。
【００５７】
次に、請求項１３に記載の通信装置は、ファクシミリ機能を有する装置であり、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置であって、前記通信先機器からの着信時に、前記自機側通信網または前記中継装置のいずれかから伝送されてくる着信通知用信号に基づいて、前記ＩＰ網経由の着信か前記ＰＳＴＮ網経由の着信かを判定する着信時自機側通信網判定手段と、前記通信先機器への発信時に、利用者が行った入力操作または前記通信先機器の電話番号に基づいて、前記ＩＰ網経由の発信か前記ＰＳＴＮ網経由の発信かを判定する発信時自機側通信網判定手段と、前記通信先機器との間でファクシミリ画像を伝送する際に、前記着信時自機側通信網判定手段によって前記ＩＰ網経由の着信と判定された場合と前記ＰＳＴＮ網経由の着信と判定された場合とでは、異なる通信速度でファクシミリ画像の伝送を行い、しかも、前記発信時自機側通信網判定手段によって前記ＩＰ網経由の発信と判定された場合と前記ＰＳＴＮ網経由の発信と判定された場合とでは、異なる通信速度でファクシミリ画像の伝送を行う通信制御手段とを備えたことを特徴とする。
【００５８】
この通信装置は、請求項９に記載の通信装置が備える各手段および請求項１１に記載の通信装置が備える各手段に相当する手段を兼ね備えている。
したがって、この通信装置によれば、着信時にも発信時にも自機が利用している自機側通信網を特定し、特定した自機側通信網に応じて、異なる通信速度でファクシミリ画像の伝送を行うことができるので、例えば、遅延の発生しやすいＩＰ網経由の通信時には通信速度を遅めにして、通信エラーの発生を抑制することができ、一方、遅延の発生しにくいＰＳＴＮ網経由の通信時には通信速度を速めにして、迅速にファクシミリ画像の伝送を完了させることができる。
【００５９】
次に、請求項１４に記載の通信装置は、請求項１３に記載の通信装置において、前記通信先機器からの着信時に、前記他機側通信網から伝送されてくる前記通信先機器の電話番号に基づいて、前記他機側通信網の種別を判定する着信時他機側通信網判定手段と、前記通信先機器への発信時に、前記通信先機器の電話番号に基づいて、前記他機側通信網の種別を判定する発信時他機側通信網判定手段を備え、前記通信制御手段は、前記着信時自機側通信網判定手段によって判定された判定結果と前記着信時他機側通信網判定手段によって判定された判定結果との組み合わせに応じて、異なる通信速度でファクシミリ画像の伝送を行い、しかも、前記発信時自機側通信網判定手段によって判定された判定結果と前記発信時他機側通信網判定手段によって判定された判定結果との組み合わせに応じて、異なる通信速度でファクシミリ画像の伝送を行うことを特徴とする。
【００６０】
この通信装置は、請求項１０に記載の通信装置が備える各手段および請求項１２に記載の通信装置が備える各手段に相当する手段を兼ね備えている。
したがって、自機側通信網の特性のみを考慮した通信速度ではなく、他機側通信網の特性をも考慮した通信速度で、ファクシミリ画像の伝送を行うことができ、自機側通信網と他機側通信網とがどのような組み合わせとなっても、それに応じて通信エラーの発生を抑制したり迅速にファクシミリ画像の伝送を完了させたりすることができる。
【００６１】
なお、請求項１５に記載のプログラムは、自機が接続された自機側通信網および通信先機器が接続された他機側通信網を経由して前記通信先機器と通信可能で、ＩＰ網およびＰＳＴＮ網の双方に接続された中継装置に接続されることにより、前記ＩＰ網および前記ＰＳＴＮ網のそれぞれを前記自機側通信網として利用可能な通信装置に内蔵されたコンピュータを、請求項１〜請求項１４のいずれかに記載の通信装置が備える各手段として機能させるためのプログラムである。
【００６２】
このようなプログラムを利用すれば、通信装置に内蔵されたコンピュータが、請求項１〜請求項１４のいずれかに記載の通信装置が備える各手段として機能するので、通信装置が、上述した通りの作用、効果を奏するものとなる。
【発明を実施するための最良の形態】
【００６３】
次に、本発明の実施形態について一例を挙げて説明する。
以下に説明する実施形態は、本発明に係る通信装置が備える構成を、ファクシミリ機能、電話機能、プリンタ機能、スキャナ機能、およびコピー機能等を兼ね備えた複合機（一般にＭＦＰ（Multi-Function Product）等と呼ばれる装置）において採用したものである。
【００６４】
［通信系全体の概略構成］
まず、複合機が接続される通信系全体の概略構成について説明する。
図１に示すように、複合機１は、単一の通信線２を介してアダプタ３に接続され、アダプタ３経由でＰＳＴＮ網４およびＩＰ網５の双方を利用可能となっている。すなわち、複合機１は、ＰＳＴＮ網４およびＩＰ網５を自機側通信網として利用可能となっている。
【００６５】
また、ＰＳＴＮ網４およびＩＰ網５は、ゲートウェイを介して相互に接続され、ＰＳＴＮ網４およびＩＰ網５それぞれが、携帯電話網６ともゲートウェイを介して相互に接続されている。ＰＳＴＮ網４、ＩＰ網５、および携帯電話網６には、それぞれ電話機４ａ、ＩＰ電話機５ａ、携帯電話機６ａなどが接続されており、これら電話機４ａ、ＩＰ電話機５ａ、携帯電話機６ａなどが、複合機１側から見て通信先機器に相当する。通信先機器が電話機４ａである場合、通信先機器が利用する他機側通信網はＰＳＴＮ網４であり、通信先機器がＩＰ電話機５ａである場合、他機側通信網はＩＰ網５であり、通信先機器が携帯電話機６ａである場合、他機側通信網は携帯電話網６である。
【００６６】
アダプタ３は、付属機能の違いやＩＰ網５との接続形態の違いにより、ＩＰ電話対応ＡＤＳＬモデム、ＩＰ電話対応ブロードバンドルータ、あるいは、ＶｏＩＰアダプタなど、様々な名称で市販されているが、いずれも一般的な電話機（本実施形態の場合は複合機１）をＩＰ電話機としても使用できるようにするための機能を持った中継機器である。
【００６７】
複合機１から通信先機器への発信時には、アダプタ３は、複合機１側から送信されてくる電話番号に基づいて、ＰＳＴＮ網４とＩＰ網５のいずれを利用すべきかを判断し、利用すべきと判断した通信網と複合機１側とを接続する。
【００６８】
また、複合機１への着信時には、アダプタ３は、着信のあった通信網と複合機１側とを接続する。このときアダプタ３は、着信があることを複合機１へ伝達するため、アダプタ３から複合機１へ呼び出し信号（Ｒｉｎｇ信号）を送出するが、この呼び出し信号の信号パターンが、ＰＳＴＮ網４経由の着信とＩＰ網５経由の着信とでは異なる信号パターンとされており、複合機１側では、アダプタ３から送られてくる呼び出し信号の信号パターンに基づいて、ＰＳＴＮ網４経由の着信なのかＩＰ網５経由の着信なのかを識別できるようになっている。
【００６９】
［複合機の構成］
次に、複合機１の構成について説明する。
複合機１には、図２に示すように、ＣＰＵ１１、ＲＯＭ１２、ＥＥＰＲＯＭ１３、ＲＡＭ１４、画像メモリ１５、回線Ｉ／Ｆ部１９、モデム２０、バッファ２１、スキャナ２２、符号化部２３、復号化部２４、プリンタ２５、操作パネル８、ＬＣＤ（液晶表示パネル）９、アンプ２７、通話用のハンドセット４７などが設けられており、これらがバスライン３０を介して互いに接続されている。
【００７０】
ＣＰＵ１１は、バスライン３０により接続された各部を制御する装置であり、例えば、回線Ｉ／Ｆ部１９を介して音声や画像データの送受信を行うための処理等を実行する。
ＲＯＭ１２は、この複合機１で実行される制御プログラム等を格納した書き換え不能な記憶装置であり、後述する処理をＣＰＵ１１に実行させるためのプログラムは、このＲＯＭ１２に格納されている。また、ＲＯＭ１２には、ハンドセット音響パラメータテーブル１２ａ（詳細は後述）も格納されている。
【００７１】
ＥＥＰＲＯＭ１３は、複合機１の電源が遮断された後も書き込まれたデータを保持することができる書き換え可能な不揮発性の記憶装置である。
ＲＡＭ１４は、複合機１の各動作の実行時に各種のデータや着信履歴等を記憶するための読み込みおよび書き換えが可能な記憶装置であり、後述する処理の中で書き込みおよび更新がなされるハンドセット音響パラメータ１４ａは、このＲＡＭ１４に格納されている。
【００７２】
画像メモリ１５は、画像データ及び印刷のためのビットイメージを記憶するための記憶装置であり、安価な大容量メモリであるダイナミックＲＡＭ（ＤＲＡＭ）により構成されている。そして、受信された画像データは、一旦画像メモリ１５に記憶され、プリンタ２５によって記録紙に印刷された後に、この画像メモリ１５から消去される。また、スキャナ２２によって読み取られた画像データも、この画像メモリ１５に記憶される。
【００７３】
回線Ｉ／Ｆ部１９は、回線制御を行うためのものであり、電話回線側（例えば、ＰＳＴＮ網４、ＩＰ網５、あるいはアダプタ３）から送られてくる呼出信号（リング信号）や相手側装置の電話番号等の発信元番号情報（ＣａｌｌｅｒＩＤ）を示す信号等の各種信号を受信するとともに、操作パネル８上のキーの操作に応じた発信時のダイヤル信号を電話回線側へ送信する。
【００７４】
モデム２０は、画情報及び通信データを変調及び復調して伝送するとともに、伝送制御用の各種手順信号を送受信するためのものである。
バッファ２１は、相手側装置との間で送受信される符号化された画情報を含むデータを一時的に記憶するためのものである。
【００７５】
スキャナ２２は、原稿挿入口に挿入された原稿を画像データとして読み取るためのものであり、原稿搬送用モータを備えている。
符号化部２３は、スキャナ２２により読み取られた画像データの符号化を行うものである。
【００７６】
復号化部２４は、バッファ２１又は画像メモリ１５に記憶された画像データを読み出して、これを復号化するものであり、復号化されたデータは、プリンタ２５により記録紙に印刷される。
【００７７】
プリンタ２５は、記録紙を搬送する記録紙用搬送モータ、印字ヘッドを搭載したキャリッジを移動させるキャリッジモータ、及び記録紙へインクを吐出する印字ヘッド等を備えた、周知のインクジェット方式のプリンタで構成されている。
【００７８】
ＬＣＤ９は、ＣＰＵ１１から指令信号に基づいて、様々な情報を文字又は画像を通じてユーザに向けて発するものであり、その情報としては、例えば、ＦＡＸデータを送受信中である旨、又は発信元の電話番号もしくはファクシミリ番号や発信元の名前もしくは名称等の発信元の情報等が挙げられる。
【００７９】
アンプ２７は、そのアンプ２７に接続されたスピーカ２８を鳴動して、呼出音や音声を出力するためのものである。
ハンドセット４７は、通信先機器から送信されてくる音声信号を再生するスピーカと通話者が発する音声を入力するマイクロフォン等とが一体化された通話用の送受話器である。
【００８０】
フックスイッチ４８は、利用者がハンドセット４７を持ち上げる操作（フックアップ）を行ったときにオンになり、ハンドセット４７を元の位置に戻す操作（フックダウン）を行ったときにオフになるスイッチである。フックスイッチ４８のオン／オフはＣＰＵ１１によって監視され、フックスイッチ４８がオンになるとＣＰＵ１１は回線を閉結し、フックスイッチ４８がオフになるとＣＰＵ１１は回線を開放する。また、このフックスイッチ４８は、操作パネル８での操作によってもオン／オフを切り替え可能になっており、操作パネル８を利用すれば、ハンドセット４７を持ち上げる操作（フックアップ）を実際に行わなくても、複合機１の状態をフックアップ／フックダウンが行われた場合と同等な状態に切り替えることができる。
【００８１】
［ハンドセット音響パラメータテーブル］
次に、ＲＯＭ１２に格納されたハンドセット音響パラメータテーブル１２ａについて説明する。
【００８２】
ハンドセット音響パラメータテーブル１２ａは、本実施形態においては、図３に示すようなデータ構造のテーブルとなっている。すなわち、本実施形態において、ハンドセット音響パラメータテーブル１２ａには、６組分の音響パラメータ群が格納されており、これら６組の音響パラメータ群が、２種の自機側通信網（ＰＳＴＮ網４およびＩＰ網５）と３種の他機側通信網（ＰＳＴＮ網４、ＩＰ網５、および携帯電話網６）との組み合わせ（全６通り）に対して、一対一の関係で対応づけられている。
【００８３】
１組分の音響パラメータ群には、各組とも、送話レベル、受話レベル、フィルター特性値、およびＬＥＣ（ラインエコーキャンセラー）設定値、以上４種の音響パラメータが含まれている。これら４種の音響パラメータのうち、送話レベルおよび受話レベルの２種については、操作パネル８で設定可能な３通りの音量設定（大、中、小）それぞれに対応する３対の音響パラメータが格納されている。
【００８４】
６組の音響パラメータ群のうち、自機側または他機側にＰＳＴＮ網４が利用されるケースに対応する音響パラメータ群は、音量レベルの減衰を補う信号処理を施すためのパラメータであり、この音響パラメータ群に基づいて信号処理を行うことで、音量の増大が図られ、比較的小さい音声がより聞き取りやすい音量に変換される。
【００８５】
また、自機側または他機側にＩＰ網５が利用されるケースに対応する音響パラメータ群は、ＩＰ網５に特有のインピーダンス特性に伴うエコー発生を抑制する信号処理を施すためのパラメータであり、この音響パラメータ群に基づいて信号処理を行うことで、エコーキャンセル等が施されてより聞き取りやすい音質に変換される。
【００８６】
さらに、他機側に携帯電話網６が利用されるケースに対応する音響パラメータ群は、屋外の騒音や風などに起因するノイズを抑制する信号処理を施すためのパラメータであり、この音響パラメータ群に基づいて信号処理を行うことで、ノイズ成分のカットあるいは人の声の強調等が施されて、聞き取りやすい音量および音質に変換される。
【００８７】
これら６組の音響パラメータ群は、後述する処理の中で、いずれか１組が択一的に利用されて、通信先機器との間で伝送される音声信号に対する信号処理が施されることになる。このとき、送話レベルおよび受話レベルの２種については、音量設定（大、中、小）に対応する３対が用意された音響パラメータの中から、操作パネル８で設定された音量設定（大、中、小）に応じて、いずれか１対の音響パラメータが利用される。
【００８８】
後述する処理の中では、ＣＰＵ１１が自機側通信網と他機側通信網の判定を行い、判定結果に対応する１組の音響パラメータ群を選び、選んだ１組の音響パラメータ群の中から、操作パネル８での音量設定（大、中、小）も考慮して４種の音響パラメータが読み出され、読み出された４種の音響パラメータが、ＲＡＭ１４のハンドセット音響パラメータ１４ａに格納される。
【００８９】
ＣＰＵ１１は、通信先機器との間で伝送される音声信号に対し、常にハンドセット音響パラメータ１４ａを参照して信号処理を行うように構成されており、これにより、ＣＰＵ１１は、通信先機器との間で伝送される音声信号に対し、自機側通信網および他機側通信網の組み合わせに応じて決まる信号処理を施すことになる。
【００９０】
［複合機による通話処理］
次に、複合機１による通話処理について、図４〜図９に示すフローチャートに基づいて説明する。図４〜図９に示すフローチャートは、複合機１においてＣＰＵ１１によって常時実行される処理の中から、本発明の要部に関連する処理ステップのみを抜粋して示したものである。ＣＰＵ１１は、実際には図４〜図９に表れない処理をも実行しているが、本発明の要部に関連しない処理については図示を省略してある。
【００９１】
ＣＰＵ１１によってこの処理が実行されると、まず、図４に示すように、アダプタ３から伝送されてくる呼び出し信号の監視が行われ（Ｓ１０５）、呼び出し信号がなければ（Ｓ１１０：いいえ）、続いてハンドセットフックスイッチ４８の監視が行われ（Ｓ１１５）、ハンドセット４７をフックアップしていなければ（Ｓ１２０：いいえ）、Ｓ１０５の処理へと戻る。これにより、呼び出し信号がなく、且つ、ハンドセット４７をフックアップしていない間は、Ｓ１０５〜Ｓ１２０の処理が繰り返されて、呼び出し信号の監視とハンドセット４７のフックアップの監視が継続されることになる。なお、Ｓ１２０の処理では、利用者が実際にハンドセット４７をフックアップした場合はもちろんのこと、操作パネル８での操作によって複合機１の状態をフックアップした場合と同等な状態に切り替えた場合でも、ハンドセット４７をフックアップしたと判断される。後述する処理の中でも、ハンドセット４７のフックアップを監視する処理が出てくるが、それらの処理も同様である。
【００９２】
そして、Ｓ１０５〜Ｓ１１５の処理が繰り返される中で、通信先機器からの着信に伴い、アダプタ３から呼び出し信号が伝送されてきた場合は（Ｓ１１０：はい）、図５および図６に示す着信時処理に移行する。この着信時処理では、通信先機器側から送信されてくる発信元番号情報が受信され（Ｓ１２５）、ＩＰ  Ｐｈｏｎｅへの呼び出し信号パターンか否かが判断される（Ｓ１３０）。
【００９３】
ここで、ＩＰ網５経由の着信の場合、呼び出し信号の信号パターンは、ＩＰ  Ｐｈｏｎｅへの呼び出し信号パターンとなるので（Ｓ１３０：はい）、その場合は、Ｓ１３５〜Ｓ１８０のＩＰ網経由着信時処理（図５参照）に移行することになる。また、ＰＳＴＮ網４経由の着信の場合、呼び出し信号の信号パターンは、ＩＰ  Ｐｈｏｎｅへの呼び出し信号パターンとならないので（Ｓ１３０：いいえ）、その場合は、Ｓ１８５〜Ｓ２３０のＰＳＴＮ網経由着信時処理（図６参照）に移行することになる。
【００９４】
Ｓ１３５〜Ｓ１８０のＩＰ網経由着信時処理に移行した場合は、まず、呼び出し信号が停止したか否かが判断され（Ｓ１３５）、停止していなければ（Ｓ１３５：いいえ）、ハンドセットフックスイッチ４８の監視が行われ（Ｓ１４０）、ハンドセット４７をフックアップしていなければ（Ｓ１４５：いいえ）、Ｓ１３５の処理へと戻る。これにより、呼び出し信号が停止せず、且つ、ハンドセット４７をフックアップしていない間は、Ｓ１３５〜Ｓ１４５の処理が繰り返されて、呼び出し信号が停止するまでハンドセット４７のフックアップの監視が継続されることになる。
【００９５】
ここで、呼び出し信号が停止した場合は（Ｓ１３５：はい）、かかってきた電話が切れたことになるので、Ｓ１０５の処理（図４参照）へと戻って、再びＳ１０５〜Ｓ１２０の処理を繰り返す状態になる。
【００９６】
一方、Ｓ１３５〜Ｓ１４５の処理が繰り返される中で、利用者がハンドセット４７をフックアップしたら（Ｓ１４５：はい）、その場合は、回線が閉結され（Ｓ１５０）、ハンドセット４７による通話開始処理が実行される（Ｓ１５５）。
【００９７】
次に、Ｓ１６０〜Ｓ１８０の処理によって、ハンドセット音響パラメータの設定が行われる。ここでは、Ｓ１３０の処理で肯定判断がなされていることから、自機側通信網がＩＰ網５であることは既に判断を終えているので、他機側通信網がＰＳＴＮ網４、ＩＰ網５、および携帯電話網６のいずれであるかを判断し、それに応じてハンドセット音響パラメータの設定が行われる。
【００９８】
具体的には、ＣＰＵ１１により、まず、発信元番号情報の先頭に０５０が存在するか否かが判断される（Ｓ１６０）。０５０が存在する場合（Ｓ１６０：はい）、通信先機器はＩＰ網５を利用する機器（例えばＩＰ電話機５ａ）であり、自機側通信網がＩＰ網５で他機側通信網もＩＰ網５となるので、この場合は、ハンドセット音響パラメータを「ＩＰ−ＩＰ」に設定する（Ｓ１６５）。
【００９９】
このＳ１６５の処理では、「ＩＰ−ＩＰ」に対応する音響パラメータ群が、ＲＯＭ１２のハンドセット音響パラメータテーブル１２ａから読み出される。このとき、操作パネル８で設定された音量設定（大、中、小）も参照され、この音量設定に応じた２種の音響パラメータ（送話レベルおよび受話レベル）と、他の２種の音響パラメータ（フィルター特性値およびＬＥＣ設定値）が読み出される。そして、読み出された４種の音響パラメータが、ＲＡＭ１４のハンドセット音響パラメータ１４ａに格納される。既に説明した通り、ＣＰＵ１１は、通信先機器との間で伝送される音声信号に対し、常にハンドセット音響パラメータ１４ａを参照して信号処理を行っているため、Ｓ１６５の処理を実行した以降は、自機側通信網がＩＰ網５で他機側通信網もＩＰ網５であるケースに対応した信号処理が行われることになる。
【０１００】
また、Ｓ１６０の処理で、発信元番号情報の先頭に０５０が存在しない場合は（Ｓ１６０：いいえ）、引き続いて、発信元番号情報の先頭に０９０が存在するか否かが判断される（Ｓ１７０）。０９０が存在する場合（Ｓ１７０：はい）、通信先機器は携帯電話網６を利用する機器（例えば携帯電話機６ａ）であり、自機側通信網がＩＰ網５で他機側通信網が携帯電話網６となるので、この場合は、ハンドセット音響パラメータを「ＩＰ−携帯」用に設定する（Ｓ１７５）。なお、Ｓ１７５の処理では、「ＩＰ−携帯」に対応する音響パラメータ群がＲＯＭ１２のハンドセット音響パラメータテーブル１２ａから読み出されるが、その他の点はＳ１６５の処理と同様である。以降、ハンドセット音響パラメータを設定する処理（例えばＳ１８０，Ｓ２１５，Ｓ２２５，Ｓ２３０…等々）については、煩雑な説明になるのを避けるため特に重ねて説明しないが、いずれもＳ１６５の処理とほぼ同等な処理となる。
【０１０１】
さらに、Ｓ１７０の処理で、発信元番号情報の先頭に０９０が存在しない場合は（Ｓ１７０：いいえ）、通信先機器はＰＳＴＮ網４を利用する機器（例えば電話機４ａ）であり、自機側通信網がＩＰ網５で他機側通信網がＰＳＴＮ網４となるので、この場合は、ハンドセット音響パラメータを「ＩＰ−ＰＳＴＮ」に設定する（Ｓ１８０）。
【０１０２】
以上説明したＳ１６０〜Ｓ１８０の処理によって、ハンドセット音響パラメータの設定が行われたら、続いて、ＩＰ網経由での通話処理に移行するが、このＩＰ網経由での通話処理については後から詳述する。
【０１０３】
さて一方、Ｓ１３０の処理による判断の結果、Ｓ１８５〜Ｓ２３０のＰＳＴＮ網経由着信時処理に移行した場合は、まず、呼び出し信号が停止したか否かが判断され（Ｓ１８５）、停止していなければ（Ｓ１８５：いいえ）、ハンドセットフックスイッチ４８の監視が行われ（Ｓ１９０）、ハンドセット４７をフックアップしていなければ（Ｓ１９０：いいえ）、Ｓ１８５の処理へと戻る。これにより、呼び出し信号が停止せず、且つ、ハンドセット４７をフックアップしていない間は、Ｓ１８５〜Ｓ１９５の処理が繰り返されて、呼び出し信号が停止するまでハンドセット４７のフックアップの監視が継続されることになる。
【０１０４】
ここで、呼び出し信号が停止した場合は（Ｓ１８５：はい）、かかってきた電話が切れたことになるので、Ｓ１０５の処理（図４参照）へと戻って、再びＳ１０５〜Ｓ１２０の処理を繰り返す状態になる。
【０１０５】
一方、Ｓ１８５〜Ｓ１９５の処理が繰り返される中で、利用者がハンドセット４７をフックアップしたら（Ｓ１９５：はい）、その場合は、回線が閉結され（Ｓ２００）、ハンドセット４７による通話開始処理が実行される（Ｓ２０５）。
【０１０６】
次に、Ｓ２１０〜Ｓ２３０の処理によって、ハンドセット音響パラメータの設定が行われる。ここでは、Ｓ１３０の処理で否定判断がなされていることから、自機側通信網がＰＳＴＮ網４であることは既に判断を終えているので、他機側通信網がＰＳＴＮ網４、ＩＰ網５、および携帯電話網６のいずれであるかを判断し、それに応じてハンドセット音響パラメータの設定が行われる。
【０１０７】
具体的には、ＣＰＵ１１により、まず、発信元番号情報の先頭に０５０が存在するか否かが判断される（Ｓ２１０）。０５０が存在する場合（Ｓ２１０：はい）、通信先機器はＩＰ網５を利用する機器（例えばＩＰ電話機５ａ）であり、自機側通信網がＰＳＴＮ網４で他機側通信網がＩＰ網５となるので、この場合は、ハンドセット音響パラメータを「ＰＳＴＮ−ＩＰ」に設定する（Ｓ２１５）。
【０１０８】
また、Ｓ２１０の処理で、発信元番号情報の先頭に０５０が存在しない場合は（Ｓ２１０：いいえ）、引き続いて、発信元番号情報の先頭に０９０が存在するか否かが判断される（Ｓ２２０）。０９０が存在する場合（Ｓ２２０：はい）、通信先機器は携帯電話網６を利用する機器（例えば携帯電話機６ａ）であり、自機側通信網がＰＳＴＮ網４で他機側通信網が携帯電話網６となるので、この場合は、ハンドセット音響パラメータを「ＰＳＴＮ−携帯」用に設定する（Ｓ２２５）。
【０１０９】
さらに、Ｓ２２０の処理で、発信元番号情報の先頭に０９０が存在しない場合は（Ｓ２２０：いいえ）、通信先機器はＰＳＴＮ網４を利用する機器（例えば電話機４ａ）であり、自機側通信網がＰＳＴＮ網４で他機側通信網もＰＳＴＮ網４となるので、この場合は、ハンドセット音響パラメータを「ＰＳＴＮ−ＰＳＴＮ」に設定する（Ｓ２３０）。
【０１１０】
以上説明したＳ２１０〜Ｓ２３０の処理によって、ハンドセット音響パラメータの設定が行われたら、続いて、ＰＳＴＮ網経由での通話処理に移行するが、このＰＳＴＮ網経由での通話処理については後から詳述する。
【０１１１】
さて、以上が、図５および図６に示す着信時処理に移行した場合の説明であるが、Ｓ１０５〜Ｓ１１５の処理が繰り返される中で、利用者がハンドセット４７をフックアップした場合は（Ｓ１２０：はい）、回線が閉結され（Ｓ２３５）、図７に示す発信時処理に移行する。
【０１１２】
発信時処理に移行した場合は、まず、ハンドセット４７による通話開始処理が実行され（Ｓ２４０）、ハンドセット音響パラメータの初期値として、ハンドセット音響パラメータを「ＩＰ−ＰＳＴＮ」に設定する（Ｓ２４５）。
【０１１３】
続いて、ダイヤル入力の監視が行われ（Ｓ２５０）、ダイヤル入力を終了したか否かが判断され（Ｓ２５５）、ダイヤル入力を終了していなければ（Ｓ２５５：いいえ）、Ｓ２５０へと戻り、Ｓ２５０〜Ｓ２５５の処理を繰り返すことにより、ダイヤル入力の完了を待つ。なお、ダイヤル入力は、操作パネル８の番号ボタンからの入力、あるいは、事前に登録してある登録リストからの入力であり、ダイヤル入力を終了したか否かの判断は、操作パネル８上で所定の桁数の入力を終えるか発信ボタンを操作するか登録リストからの入力を完了したことをもって、ダイヤル入力を終了したと判断する。
【０１１４】
ダイヤル入力を終了した場合（Ｓ２５５）、引き続いて、ダイヤルの先頭に００００が存在するか否かを判断する（Ｓ２６０）。これは、アダプタ３の仕様に合わせた処理である。より詳しくは、アダプタ３は、発呼時に複合機１から伝送されてくるダイヤルの先頭に００００が存在する場合、複合機１からアダプタ３に対してＰＳＴＮ網４経由での発呼が指定されたと認識し、ＰＳＴＮ網４経由で通信ができるように回線を閉結するように構成されている。そこで、複合機１は、発呼時のダイヤルの先頭に００００が存在することをもって、自機側通信網がＰＳＴＮ網４であると判断する。
【０１１５】
ダイヤルの先頭に００００が存在する場合は（Ｓ２６０：はい）、続くダイヤルが０９０で始まっているか否かが判断される（Ｓ２６５）。０９０で始まっている場合（Ｓ２６５：はい）、通信先機器は携帯電話網６を利用する機器（例えば携帯電話機６ａ）であり、自機側通信網がＰＳＴＮ網４で他機側通信網が携帯電話網６となるので、この場合は、ハンドセット音響パラメータを「ＰＳＴＮ−携帯」に設定する（Ｓ２７０）。
【０１１６】
また、Ｓ２６５の処理で、続くダイヤルが０９０で始まっていない場合は（Ｓ２６５：いいえ）、引き続いて、続くダイヤルが０５０で始まっているか否かが判断される（Ｓ２７５）。０５０で始まっている場合（Ｓ２７５：はい）、通信先機器はＩＰ網５を利用する機器（例えばＩＰ電話機５ａ）であり、自機側通信網がＰＳＴＮ網４で他機側通信網がＩＰ網５となるので、この場合は、ハンドセット音響パラメータを「ＰＳＴＮ−ＩＰ」に設定する（Ｓ２８０）。
【０１１７】
さらに、Ｓ２７５の処理で、続くダイヤルが０５０で始まっていない場合は（Ｓ２７５：いいえ）、通信先機器はＰＳＴＮ網４を利用する機器（例えば電話機４ａ）であり、自機側通信網がＰＳＴＮ網４で他機側通信網もＰＳＴＮ網４となるので、この場合は、ハンドセット音響パラメータを「ＰＳＴＮ−ＰＳＴＮ」に設定する（Ｓ２８５）。
【０１１８】
また、ダイヤルの先頭に００００が存在しない場合は（Ｓ２６０：いいえ）、ダイヤルの先頭に１が存在するか否かを判断する（Ｓ２９０）。これも、アダプタ３の仕様に合わせた処理であり、アダプタ３は、発呼時に複合機１から伝送されてくるダイヤルの先頭に１が存在する場合、１１０，１１９等へ接続する都合上、ＰＳＴＮ網４経由での発呼が指定されたと認識し、ＰＳＴＮ網４経由で通信ができるように回線を閉結するように構成されている。そこで、複合機１は、発呼時のダイヤルの先頭に１が存在することをもって、自機側通信網がＰＳＴＮ網４であると判断する。
【０１１９】
ダイヤルの先頭に１が存在する場合は（Ｓ２９０：はい）、通信先機器もＰＳＴＮ網４を利用する機器であり、自機側通信網がＰＳＴＮ網４で他機側通信網もＰＳＴＮ網４となるので、この場合は、ハンドセット音響パラメータを「ＰＳＴＮ−ＰＳＴＮ」に設定する（Ｓ２９５）。
【０１２０】
以上説明したＳ２６５〜Ｓ２９５の処理によって、ハンドセット音響パラメータの設定が行われたら、続いて、ＰＳＴＮ網経由での通話処理に移行するが、このＰＳＴＮ網経由での通話処理については後から詳述する。
【０１２１】
一方、ダイヤルの先頭に１が存在しない場合は（Ｓ２９０：いいえ）、ダイヤルの先頭に０９０が存在するか否かが判断される（Ｓ３００）。０９０が存在する場合（Ｓ３００：はい）、通信先機器は携帯電話網６を利用する機器（例えば携帯電話機６ａ）であり、自機側通信網がＩＰ網５で他機側通信網が携帯電話網６となるので、この場合は、ハンドセット音響パラメータを「ＩＰ−携帯」に設定する（Ｓ３０５）。
【０１２２】
また、Ｓ３００の処理で、ダイヤルの先頭に０９０が存在しない場合は（Ｓ３００：いいえ）、引き続いて、ダイヤルの先頭に０５０が存在するか否かが判断される（Ｓ３１０）。０５０が存在する場合（Ｓ３１０：はい）、通信先機器はＩＰ網５を利用する機器（例えばＩＰ電話機５ａ）であり、自機側通信網がＩＰ網５で他機側通信網もＩＰ網５となるので、この場合は、ハンドセット音響パラメータを「ＩＰ−ＩＰ」に設定する（Ｓ３１５）。
【０１２３】
さらに、Ｓ３１０の処理で、ダイヤルの先頭に０５０が存在しない場合は（Ｓ３１０：いいえ）、通信先機器はＰＳＴＮ網４を利用する機器（例えば電話機４ａ）であり、自機側通信網がＩＰ網５で他機側通信網がＰＳＴＮ網４となるので、この場合は、ハンドセット音響パラメータを「ＩＰ−ＰＳＴＮ」に設定する（Ｓ３２０）。
【０１２４】
以上説明したＳ３００〜Ｓ３１５の処理によって、ハンドセット音響パラメータの設定が行われたら、続いて、ＩＰ網経由での通話処理に移行するが、このＩＰ網経由での通話処理については後から詳述する。
【０１２５】
次に、ＰＳＴＮ網経由での通話処理について、図８に基づいて説明する。
既に説明した処理の中で、ハンドセット音響パラメータの設定が完了し、その後、ＰＳＴＮ網経由での通話処理へ移行すると、まず、ハンドセットフックスイッチ４８の監視が行われ（Ｓ３２５）、ハンドセット４７をフックダウンしていなければ（Ｓ３３０：いいえ）、続いて、アダプタ３から伝送されてくるキャッチディスプレイ信号の監視が行われ（Ｓ３４０）、キャッチディスプレイ信号を受信していなければ（Ｓ３４５：いいえ）、Ｓ３２５の処理へと戻る。これにより、ハンドセット４７をフックダウンせず、且つ、キャッチディスプレイ信号も受信していない間は、Ｓ３２５〜Ｓ３４５の処理が繰り返されて、ハンドセット４７のフックダウンの監視とキャッチディスプレイ信号の監視が継続されることになる。
【０１２６】
そして、Ｓ３２５〜Ｓ３４５の処理が繰り返される中で、ハンドセット４７をフックダウンした場合は（Ｓ３３０：はい）、回線が開放されて（Ｓ３３５）、Ｓ１０５の処理（図４参照）へと戻って、再びＳ１０５〜Ｓ１２０の処理を繰り返す状態になる。
【０１２７】
一方、Ｓ３２５〜Ｓ３４５の処理が繰り返される中で、キャッチディスプレイ信号を受信した場合は（Ｓ３４５：はい）、ダイヤルの先頭に０５０が存在するか否かが判断される（Ｓ３５０）。０５０が存在する場合（Ｓ３５０：はい）、通信先機器はＩＰ網５を利用する機器（例えばＩＰ電話機５ａ）であり、自機側通信網がＰＳＴＮ網４で他機側通信網がＩＰ網５となる。ただし、通話中にキャッチディスプレイによる着信があった場合に、通話相手を切り替えるか否かは利用者の判断に委ねられるので、この場合は、操作パネル８にあるキャッチボタンを監視し（Ｓ３５５）、キャッチボタンが押下されたら（Ｓ３６０：はい）、ハンドセット音響パラメータを「ＰＳＴＮ−ＩＰ」用に設定して（Ｓ３６５）、Ｓ３２５の処理へ戻る一方、キャッチボタンが押下されなければ（Ｓ３６０：いいえ）、Ｓ３６５の処理を実行することなくＳ３２５の処理へ戻る。これらＳ３５０〜Ｓ３６５の処理により、通話中にＩＰ網５側からの着信があった場合には、利用者がキャッチボタンを押下したときのみ、ハンドセット音響パラメータが変更されることになる。
【０１２８】
また、Ｓ３５０の処理で、ダイヤルの先頭に０５０が存在しない場合は（Ｓ３５０：いいえ）、引き続いて、ダイアルの先頭に０９０が存在するか否かが判断される（Ｓ３７０）。０９０が存在する場合（Ｓ３７０：はい）、通信先機器は携帯電話網６を利用する機器（例えば携帯電話機６ａ）であり、自機側通信網がＰＳＴＮ網４で他機側通信網が携帯電話網６となる。ただし、この場合も、操作パネル８にあるキャッチボタンを監視し（Ｓ３７５）、キャッチボタンが押下されたら（Ｓ３８０：はい）、ハンドセット音響パラメータを「ＰＳＴＮ−携帯」用に設定して（Ｓ３８５）、Ｓ３２５の処理へ戻る一方、キャッチボタンが押下されなければ（Ｓ３８０：いいえ）、Ｓ３８５の処理を実行することなくＳ３２５の処理へ戻る。これらＳ３７０〜Ｓ３８５の処理により、通話中に携帯電話網６側からの着信があった場合についても、利用者がキャッチボタンを押下したときのみ、ハンドセット音響パラメータが変更されることになる。
【０１２９】
さらに、Ｓ３７０の処理で、ダイヤルの先頭に０９０が存在しない場合は（Ｓ３７０：いいえ）、通信先機器はＰＳＴＮ網４を利用する機器（例えば電話機４ａ）であり、自機側通信網がＰＳＴＮ網４で他機側通信網がＰＳＴＮ網４となる。ただし、この場合も、操作パネル８にあるキャッチボタンを監視し（Ｓ３９０）、キャッチボタンが押下されたら（Ｓ３９５：はい）、ハンドセット音響パラメータを「ＰＳＴＮ−ＰＳＴＮ」用に設定して（Ｓ４００）、Ｓ３２５の処理へ戻る一方、キャッチボタンが押下されなければ（Ｓ３９５：いいえ）、Ｓ４００の処理を実行することなくＳ３２５の処理へ戻る。これらＳ３７０〜Ｓ４００の処理により、通話中にＰＳＴＮ網４側からの着信があった場合についても、利用者がキャッチボタンを押下したときのみ、ハンドセット音響パラメータが変更されることになる。
【０１３０】
以上説明したＳ３２５〜Ｓ４００の処理が、ＰＳＴＮ網経由での通話処理となる。
次に、ＩＰ網経由での通話処理について、図９に基づいて説明する。
既に説明した処理の中で、ハンドセット音響パラメータの設定が完了し、その後、ＩＰ網経由での通話処理へ移行すると、まず、ハンドセットフックスイッチ４８の監視が行われ（Ｓ４０５）、ハンドセット４７をフックダウンしていなければ（Ｓ４１０：いいえ）、続いて、アダプタ３から伝送されてくるキャッチディスプレイ信号の監視が行われ（Ｓ４２０）、キャッチディスプレイ信号を受信していなければ（Ｓ４２５：いいえ）、Ｓ４０５の処理へと戻る。これにより、ハンドセット４７をフックダウンせず、且つ、キャッチディスプレイ信号も受信していない間は、Ｓ４０５〜Ｓ４２５の処理が繰り返されて、ハンドセット４７のフックダウンの監視とキャッチディスプレイ信号の監視が継続されることになる。
【０１３１】
そして、Ｓ４０５〜Ｓ４２５の処理が繰り返される中で、ハンドセット４７をフックダウンした場合は（Ｓ４１０：はい）、回線が開放されて（Ｓ４１５）、Ｓ１０５の処理（図４参照）へと戻って、再びＳ１０５〜Ｓ１２０の処理を繰り返す状態になる。
【０１３２】
一方、Ｓ４０５〜Ｓ４２５の処理が繰り返される中で、キャッチディスプレイ信号を受信した場合は（Ｓ４２５：はい）、ダイヤルの先頭に０５０が存在するか否かが判断される（Ｓ４３０）。０５０が存在する場合（Ｓ４３０：はい）、通信先機器はＩＰ網５を利用する機器（例えばＩＰ電話機５ａ）であり、自機側通信網がＩＰ網５で他機側通信網もＩＰ網５となる。ただし、既に説明した通り、通話中にキャッチディスプレイによる着信があった場合に、通話相手を切り替えるか否かは利用者の判断に委ねられるので、操作パネル８にあるキャッチボタンを監視し（Ｓ４３５）、キャッチボタンが押下されたら（Ｓ４４０：はい）、ハンドセット音響パラメータを「ＩＰ−ＩＰ」用に設定して（Ｓ４４５）、Ｓ４０５の処理へ戻る一方、キャッチボタンが押下されなければ（Ｓ４４０：いいえ）、Ｓ４４５の処理を実行することなくＳ４０５の処理へ戻る。これらＳ４３０〜Ｓ４４５の処理により、通話中にＩＰ網５側からの着信があった場合には、利用者がキャッチボタンを押下したときのみ、ハンドセット音響パラメータが変更されることになる。
【０１３３】
また、Ｓ４３０の処理で、ダイヤルの先頭に０５０が存在しない場合は（Ｓ４３０：いいえ）、引き続いて、ダイアルの先頭に０９０が存在するか否かが判断される（Ｓ４５０）。０９０が存在する場合（Ｓ４５０：はい）、通信先機器は携帯電話網６を利用する機器（例えば携帯電話機６ａ）であり、自機側通信網がＩＰ網５で他機側通信網が携帯電話網６となる。ただし、この場合も、操作パネル８にあるキャッチボタンを監視し（Ｓ４５５）、キャッチボタンが押下されたら（Ｓ４６０：はい）、ハンドセット音響パラメータを「ＩＰ−携帯」用に設定して（Ｓ４６５）、Ｓ４０５の処理へ戻る一方、キャッチボタンが押下されなければ（Ｓ４６０：いいえ）、Ｓ４６５の処理を実行することなくＳ４０５の処理へ戻る。これらＳ４５０〜Ｓ４６５の処理により、通話中に携帯電話網６側からの着信があった場合についても、利用者がキャッチボタンを押下したときのみ、ハンドセット音響パラメータが変更されることになる。
【０１３４】
さらに、Ｓ４５０の処理で、ダイヤルの先頭に０９０が存在しない場合は（Ｓ４５０：いいえ）、通信先機器はＰＳＴＮ網４を利用する機器（例えば電話機４ａ）であり、自機側通信網がＩＰ網５で他機側通信網がＰＳＴＮ網４となる。ただし、この場合も、操作パネル８にあるキャッチボタンを監視し（Ｓ４７０）、キャッチボタンが押下されたら（Ｓ４７５：はい）、ハンドセット音響パラメータを「ＩＰ−ＰＳＴＮ」用に設定して（Ｓ４８０）、Ｓ４０５の処理へ戻る一方、キャッチボタンが押下されなければ（Ｓ４７５：いいえ）、Ｓ４８０の処理を実行することなくＳ４０５の処理へ戻る。これらＳ３５０〜Ｓ４８０の処理により、通話中にＰＳＴＮ網４側からの着信があった場合についても、利用者がキャッチボタンを押下したときのみ、ハンドセット音響パラメータが変更されることになる。
【０１３５】
以上説明したＳ４０５〜Ｓ４８０の処理が、ＩＰ網経由での通話処理となる。
［アダプタによる通信中継処理］
次に、アダプタ３による通信中継処理について、図１０および図１１のフローチャートに基づいて説明する。なお、図１０および図１１に示すフローチャートも、アダプタ３において常時実行される処理の中から、本発明の要部に関連する処理ステップのみを抜粋して示したものである。アダプタ３は、実際には図１０および図１１に表れない処理をも実行しているが、本発明の要部に関連しない処理については図示を省略してある。
【０１３６】
アダプタ３においてこの処理が実行されると、まず、図１０に示すように、ＰＳＴＮ網４側およびＩＰ網５側の双方について着呼が監視され（Ｓ５０５）、着呼がなければ（Ｓ５０５：いいえ）、図１１に示すように、電話機（本実施形態の場合は複合機１）による回線閉結が監視され（Ｓ５１５）、電話機が回線を閉結していなければ（Ｓ５２０：いいえ）、Ｓ５０５の処理へと戻る。これにより、着呼が無く、且つ、電話機が回線を閉結しない間は、Ｓ５０５〜Ｓ５２０の処理が繰り返されて、着呼の監視と電話機による回線閉結の監視が継続されることになる。
【０１３７】
そして、Ｓ５０５〜Ｓ５２０の処理が繰り返される中で、着呼があった場合は（Ｓ５１０：はい）、ＩＰ  Ｐｈｏｎｅへの着呼か否かが判断される（Ｓ５３０）。ここで、ＩＰ  Ｐｈｏｎｅへの着呼とはＩＰ網５経由での着呼のことであり、ＰＳＴＮ網４経由での着呼はＩＰ  Ｐｈｏｎｅへの着呼ではないと判断される。そして、ＩＰ  Ｐｈｏｎｅへの着呼である場合は（Ｓ５３０：はい）、ＩＰ  Ｐｈｏｎｅ用の呼び出し信号パターンの送出を開始し（Ｓ５４０）、一方、ＩＰ  Ｐｈｏｎｅへの着呼でない場合は（Ｓ５３０：いいえ）、ＰＳＴＮ用の呼び出し信号パターンの送出を開始する（Ｓ５４０）。
【０１３８】
続いて、アダプタ３は、電話機が回線を閉結したか否かを判断し（Ｓ５４５）、閉結していない場合は（Ｓ５４５：いいえ）、着呼を監視し（Ｓ５５０）、着呼が停止していない場合は（Ｓ５５５：いいえ）、Ｓ５４５へと戻って、Ｓ５４５〜Ｓ５５５の処理を繰り返すことにより、電話機が回線を閉結するか着呼が停止するまで待機する。ここで、着呼が停止すれば（Ｓ５５５：はい）、電話機側へ送出していた呼び出し信号を停止させて（Ｓ５６０）、Ｓ５０５の処理へと戻る。
【０１３９】
また、電話機が回線を閉結した場合は（Ｓ５４５：はい）、電話機側へ送出していた呼び出し信号を停止させて（Ｓ５６５）、電話接続処理を実行する（Ｓ５７０）。この電話接続処理により、複合機１と着信のあった通信網とがアダプタ３を介して接続されて通信可能な状態になる。この後は、電話機が回線を開放していなければ（Ｓ５７５：いいえ）、Ｓ５７５の処理へと戻ることにより、電話機が回線を開放するのを待ち、電話機が回線を開放したら（Ｓ５７５：はい）、Ｓ５０５の処理へと戻る。
【０１４０】
一方、Ｓ５０５〜Ｓ５２０の処理が繰り返される中で、電話機が回線を閉結した場合は（Ｓ５２０：はい）、特段の事情がない限りは、低料金となるＩＰ  Ｐｈｏｎｅ回線が使用される可能性が高いと推定されるので、まずは、電話接続処理を実行し（Ｓ５８０）、ＩＰ  Ｐｈｏｎｅ回線（ＩＰ網５）に接続し（Ｓ５８５）、ＩＰ  Ｐｈｏｎｅ用のダイアルトーンを電話機側へ送出し（Ｓ５９０）、電話機の回線開放の監視が行われる（Ｓ５９５）。
【０１４１】
ここで、電話機が回線を開放した場合は（Ｓ６００：はい）、電話機が回線を閉結したものの、実際には発呼することなく回線を開放したことになるので、そのままＳ５０５の処理へと戻る。
【０１４２】
一方、電話機が回線を開放しない場合は（Ｓ６００：いいえ）、電話機によるダイヤル入力が監視され（Ｓ６０５）、一桁も入力されていなければ（Ｓ６１０：いいえ）、Ｓ６０５の処理へと戻る。そして、一桁でも入力されれば（Ｓ６１０：はい）、ダイアルの先頭が０か否かが判断され（Ｓ６１５）、０で無ければ（Ｓ６１５：いいえ）、ＰＳＴＮ回線に接続する（Ｓ６２０）。また、ダイアルの先頭が０であれば（Ｓ６１５：はい）、さらにダイヤル入力が監視され（Ｓ６２５）、ダイアルの先頭から４桁すべてが０であるか否かが判断され（Ｓ６３０）、４桁すべてが０であれば（Ｓ６３０：はい）、ＰＳＴＮ回線に接続する（Ｓ６２０）。
【０１４３】
つまり、ダイアルの先頭が０でない場合と、ダイアルの先頭から４桁が００００である場合は、Ｓ６２０の処理により、自機側通信網としてＰＳＴＮ網４が選ばれることになり、それ以外の場合は、Ｓ５８５の処理により、自機側通信網としてＩＰ網５が選ばれることになる。
【０１４４】
そして、電話機の回線開放の監視が行われ（Ｓ６３５）、電話機が回線を開放しない場合は（Ｓ６４０：いいえ）、Ｓ６３５の処理へ戻ることにより、電話機の回線開放の監視が継続される。また、電話機が回線を開放した場合は（Ｓ６４０：はい）、Ｓ５０５の処理へと戻ることになる。
【０１４５】
［上記通話処理による効果］
以上説明した複合機１によれば、着信時には、アダプタ３から伝送されてくる着信通知用信号に基づいて、自機が利用している自機側通信網がＰＳＴＮ網４であるかＩＰ網５であるかを特定し、通信先機器が利用している他機側通信網から伝送されてくる発信元番号情報に基づいて、他機側通信網がＰＳＴＮ網４であるかＩＰ網５であるか携帯電話網６であるかを特定している。
【０１４６】
また、発信時には、通信先機器の電話番号やその電話番号の先頭に付加される番号（例えば、００００）に基づいて、自機が利用する自機側通信網がＰＳＴＮ網４であるかＩＰ網５であるかを特定し、通信先機器の電話番号に基づいて、他機側通信網がＰＳＴＮ網４であるかＩＰ網５であるか携帯電話網６であるかを特定している。
【０１４７】
さらに、通話中に割り込んでくるキャッチディスプレイによる着信に関しても、アダプタ３から伝送されてくる着信通知用信号に基づいて、自機が利用している自機側通信網がＰＳＴＮ網４であるかＩＰ網５であるかを特定し、通信先機器が利用している他機側通信網から伝送されてくる発信元番号情報に基づいて、他機側通信網がＰＳＴＮ網４であるかＩＰ網５であるか携帯電話網６であるかを特定している。
【０１４８】
そして、特定した自機側通信網および他機側通信網の組み合わせに応じて音響パラメータを選択することで、通信先機器との間で伝送される音声信号に対して異なる信号処理を施している。したがって、これら自機側通信網や他機側通信網の違いがあっても、通信先機器との間で伝送される音声信号に対して同一の信号処理しか施せない通信装置とは異なり、自機側通信網や他機側通信網の違いに起因する音響特性を考慮して信号処理を施し、自機側通信網がＰＳＴＮ網４またはＩＰ網５のいずれであっても、送話または受話にかかる音声を聞き取りやすい音声にすることができる。また、他機側通信網がＰＳＴＮ網４、ＩＰ網５、携帯電話網６のいずれであっても、送話または受話にかかる音声を聞き取りやすい音声にすることができる。
【０１４９】
［ファクシミリ伝送処理］
次に、複合機１によるファクシミリ伝送処理について、図１２〜図１６に示すフローチャートに基づいて説明する。図１２〜図１６に示すフローチャートは、複合機１においてＣＰＵ１１によって常時実行される処理の中から、本発明の要部に関連する処理ステップのみを抜粋して示したものである。ＣＰＵ１１は、実際には図１２〜図１６に表れない処理をも実行しているが、本発明の要部に関連しない処理については図示を省略してある。
【０１５０】
以下に説明するファクシミリ伝送処理では、自機側通信網および他機側通信網の伝送特性を考慮して、初期通信速度の設定が行われる。具体的には、本実施形態において、初期通信速度は、「Ｖ．２９  ９６００ｂｐｓ」、「Ｖ．１７  １４４００ｂｐｓ」、「Ｖ．３４  ３３６００ｂｐｓ」の３種の中から選ばれ、遅延の発生しやすい通信網を経由する場合はより低速な通信を行って通信エラーの発生を抑制する一方、遅延の発生しにくい通信網を経由する場合はより高速な通信を行って伝送時間の短縮を図るようにしている。
【０１５１】
ＣＰＵ１１によってこの処理が実行されると、まず、図１２に示すように、アダプタ３から伝送されてくる呼び出し信号の監視が行われ（Ｓ７０５）、呼び出し信号がなければ（Ｓ７１０：いいえ）、続いてＦＡＸ送信指示があるか否かが判断され（Ｓ７２０）、ＦＡＸ送信指示がなければ（Ｓ７２０：いいえ）、Ｓ７０５の処理へと戻る。これにより、呼び出し信号がなく、且つ、ＦＡＸ送信指示もない間は、Ｓ７０５〜Ｓ７２０の処理が繰り返されて、呼び出し信号の監視とＦＡＸ送信指示の有無についての判断が継続されることになる。
【０１５２】
そして、Ｓ７０５〜Ｓ７２０の処理が繰り返される中で、通信先機器からの着信に伴い、アダプタ３から呼び出し信号が伝送されてきた場合は（Ｓ７１０：はい）、図１３および図１４に示す着信時処理に移行する。この着信時処理では、通信先機器側から送信されてくる発信元番号情報が受信され（Ｓ７４５）、ＩＰ  Ｐｈｏｎｅへの呼び出し信号パターンか否かが判断される（Ｓ７５０）。
【０１５３】
ここで、ＩＰ網５経由の着信の場合、呼び出し信号の信号パターンは、ＩＰ  Ｐｈｏｎｅへの呼び出し信号パターンとなるので（Ｓ７５０：はい）、その場合は、Ｓ７５５〜Ｓ７９０のＩＰ網経由着信時処理（図１３参照）に移行することになる。また、ＰＳＴＮ網４経由の着信の場合、呼び出し信号の信号パターンは、ＩＰ  Ｐｈｏｎｅへの呼び出し信号パターンとならないので（Ｓ７５０：いいえ）、その場合は、Ｓ７９５〜Ｓ８３０のＰＳＴＮ網経由着信時処理（図１４参照）に移行することになる。
【０１５４】
Ｓ７５５〜Ｓ７９０のＩＰ網経由着信時処理に移行した場合は、まず、呼び出し信号が停止したか否かが判断され（Ｓ７５５）、停止していなければ（Ｓ７５５：いいえ）、呼び出し回数がカウントされ（Ｓ７６０）、呼び出し回数が４未満であれば（Ｓ７６５：いいえ）、Ｓ７５５の処理へと戻る。これにより、呼び出し信号が停止せず、且つ、呼び出し回数が４未満の間は、Ｓ７５５〜Ｓ７６５の処理が繰り返されることになる。
【０１５５】
ここで、呼び出し信号が停止した場合は（Ｓ７５５：はい）、ファクシミリの伝送（あるいは電話）が中止されたことになるので、Ｓ７０５の処理（図１２参照）へと戻って、再びＳ７０５〜Ｓ７２０の処理を繰り返す状態になる。
【０１５６】
一方、Ｓ７５５〜Ｓ７６５の処理が繰り返される中で、呼び出し回数が４以上に達したら（Ｓ７６５：はい）、その場合は、回線が閉結され（Ｓ７７０）、ＦＡＸ受信開始処理が実行される（Ｓ７７５）。
【０１５７】
次に、Ｓ７８０〜Ｓ７９０の処理によって、初期通信速度の設定が行われる。ここでは、Ｓ７５０の処理で肯定判断がなされていることから、自機側通信網がＩＰ網５であることは既に判断を終えているので、他機側通信網がＰＳＴＮ網４またはＩＰ網５のいずれであるかを判断し、それに応じて通信速度の設定が行われる。
【０１５８】
具体的には、ＣＰＵ１１により、まず、発信元番号情報の先頭に０５０が存在するか否かが判断される（Ｓ７８０）。０５０が存在する場合（Ｓ７８０：はい）、通信先機器はＩＰ網５を利用する機器（例えばＩＰ電話機５ａ相当のファクシミリ装置）であり、自機側通信網がＩＰ網５で他機側通信網もＩＰ網５となる。したがって、この場合は、自機側通信網、他機側通信網とも遅延が発生しやすいＩＰ網５となるので、遅延に伴う通信エラーの発生を最大限に抑制するため、初期通信速度を最も低速なＶ．２９  ９６００ｂｐｓに設定する（Ｓ７８５）。
【０１５９】
また、Ｓ７８０の処理で、発信元番号情報の先頭に０５０が存在しない場合は（Ｓ７８０：いいえ）、通信先機器はＰＳＴＮ網４を利用する機器（例えば電話機４ａ相当のファクシミリ装置）であり、自機側通信網がＩＰ網５で他機側通信網がＰＳＴＮ網４となる。したがって、この場合は、自機側通信網のみ遅延が発生しやすいＩＰ網５となるので、遅延に伴う通信エラーの発生を僅かに抑制しながら、通信速度も僅かに高めるため、初期通信速度をＶ．１７  １４４００ｂｐｓに設定する（Ｓ７９０）。
【０１６０】
以上説明したＳ７８０〜Ｓ７９０の処理によって、初期通信速度の設定が行われたら、続いて、実際の通信処理に移行するが、これについては後から詳述する。
さて一方、Ｓ７５０の処理による判断の結果、Ｓ７９５〜Ｓ８３０のＰＳＴＮ網経由着信時処理に移行した場合は、まず、呼び出し信号が停止したか否かが判断され（Ｓ７９５）、停止していなければ（Ｓ７９５：いいえ）、呼び出し回数がカウントされ（Ｓ８００）、呼び出し回数が４未満であれば（Ｓ８０５：いいえ）、Ｓ７９５の処理へと戻る。これにより、呼び出し信号が停止せず、且つ、呼び出し回数が４未満の間は、Ｓ７９５〜Ｓ８０５の処理が繰り返されることになる。
【０１６１】
ここで、呼び出し信号が停止した場合は（Ｓ７９５：はい）、ファクシミリの伝送（あるいは電話）が中止されたことになるので、Ｓ７０５の処理（図１２参照）へと戻って、再びＳ７０５〜Ｓ７２０の処理を繰り返す状態になる。
【０１６２】
一方、Ｓ７９５〜Ｓ８０５の処理が繰り返される中で、呼び出し回数が４以上に達したら（Ｓ８０５：はい）、その場合は、回線が閉結され（Ｓ８１０）、ＦＡＸ受信開始処理が実行される（Ｓ８１５）。
【０１６３】
次に、Ｓ８２０〜Ｓ７９０の処理によって、初期通信速度の設定が行われる。ここでは、Ｓ７５０の処理で否定判断がなされていることから、自機側通信網がＰＳＴＮ網４であることは既に判断を終えているので、他機側通信網がＰＳＴＮ網４またはＩＰ網５のいずれであるかを判断し、それに応じて通信速度の設定が行われる。
【０１６４】
具体的には、ＣＰＵ１１により、まず、発信元番号情報の先頭に０５０が存在するか否かが判断される（Ｓ８２０）。０５０が存在する場合（Ｓ８２０：はい）、通信先機器はＩＰ網５を利用する機器（例えばＩＰ電話機５ａ相当のファクシミリ装置）であり、自機側通信網がＰＳＴＮ網４で他機側通信網がＩＰ網５となる。したがって、この場合は、他機側通信網のみ遅延が発生しやすいＩＰ網５となるので、遅延に伴う通信エラーの発生を僅かに抑制しながら、通信速度も僅かに高めるため、初期通信速度をＶ．１７  １４４００ｂｐｓに設定する（Ｓ８２５）。
【０１６５】
また、Ｓ８２０の処理で、発信元番号情報の先頭に０５０が存在しない場合は（Ｓ８２０：いいえ）、通信先機器はＰＳＴＮ網４を利用する機器（例えば電話機４ａ相当のファクシミリ装置）であり、自機側通信網がＰＳＴＮ網４で他機側通信網もＰＳＴＮ網４となる。したがって、この場合は、自機側通信網および他機側通信網ともに遅延が発生しやすいＩＰ網５ではないので、通信速度を最大限高めるため、初期通信速度を最も高速なＶ．３４  ３３６００ｂｐｓに設定する（Ｓ８３０）。
【０１６６】
以上説明したＳ８２０〜Ｓ８３０の処理によって、初期通信速度の設定が行われたら、続いて、実際の通信処理に移行するが、これについては後から詳述する。
さて、以上が、図１３および図１４に示す着信時処理に移行した場合の説明であるが、Ｓ７０５〜Ｓ７２０の処理が繰り返される中で、ＦＡＸ送信指示があった場合は（Ｓ７２０：はい）、ＦＡＸ送信先番号の入力を受け（Ｓ８３２）、ＦＡＸ送信開始指示待ちになり（Ｓ８３３）、ＦＡＸ開始が指示されない間は（Ｓ８３４：いいえ）、Ｓ８３３の処理へと戻り、ＦＡＸ開始が指示されたら（Ｓ８３４：はい）、回線が閉結され（Ｓ８３５）、図１５に示す発信時処理に移行する。
【０１６７】
発信時処理に移行した場合は、まず、ＦＡＸ送信開始処理が実行され（Ｓ８４０）、引き続いて、ＦＡＸ送信先番号の先頭に００００が存在するか否かを判断する（Ｓ８４５）。これは、既に通話処理において説明した通り、アダプタ３の仕様に合わせた処理であり、複合機１は、発呼時のダイヤルの先頭に００００が存在することをもって、自機側通信網がＰＳＴＮ網４であると判断する。
【０１６８】
ＦＡＸ送信先番号の先頭に００００が存在する場合は（Ｓ８４５：はい）、続く番号情報が０５０で始まっているか否かが判断される（Ｓ８５０）。０５０で始まっている場合（Ｓ８５０：はい）、通信先機器はＩＰ網５を利用する機器（例えばＩＰ電話機５ａ相当のファクシミリ装置）であり、自機側通信網がＰＳＴＮ網４で他機側通信網がＩＰ網５となるので、この場合は、初期通信速度をＶ．１７  １４４００ｂｐｓに設定する（Ｓ８５５）。
【０１６９】
また、Ｓ８５０の処理で、続く番号情報が０５０で始まっていない場合は（Ｓ８５０：いいえ）、通信先機器はＰＳＴＮ網４を利用する機器（例えば電話機４ａ相当のファクシミリ装置）であり、自機側通信網がＰＳＴＮ網４で他機側通信網もＰＳＴＮ網４となるので、この場合は、初期通信速度をＶ．３４  ３３６００ｂｐｓに設定する（Ｓ８６０）。
【０１７０】
また、ＦＡＸ送信先番号の先頭に００００が存在しない場合は（Ｓ８４５：いいえ）、ダイヤルの先頭に１が存在するか否かを判断する（Ｓ８６５）。これも、既に通話処理において説明した通り、アダプタ３の仕様に合わせた処理であり、複合機１は、発呼時のダイヤルの先頭に１が存在することをもって、自機側通信網がＰＳＴＮ網４であると判断する。
【０１７１】
ＦＡＸ送信先番号の先頭に１が存在する場合は（Ｓ８６５：はい）、通信先機器もＰＳＴＮ網４を利用する機器であり、自機側通信網がＰＳＴＮ網４で他機側通信網もＰＳＴＮ網４となるので、この場合は、初期通信速度をＶ．３４  ３３６００ｂｐｓに設定する（Ｓ８７０）。
【０１７２】
以上説明したＳ８５０〜Ｓ８６０の処理によって、初期通信速度の設定が行われたら、続いて、実際の通信処理に移行するが、これについては後から詳述する。
一方、ＦＡＸ送信先番号の先頭に１が存在しない場合は（Ｓ８６５：いいえ）、ＦＡＸ送信先番号の先頭に０５０が存在するか否かが判断される（Ｓ８７５）。０５０が存在する場合（Ｓ８７５：はい）、通信先機器はＩＰ網５を利用する機器（例えばＩＰ電話機５ａ相当のファクシミリ装置）であり、自機側通信網がＩＰ網５で他機側通信網もＩＰ網５となるので、この場合は、初期通信速度をＶ．２９  ９６００ｂｐｓに設定する（Ｓ８８０）。
【０１７３】
また、Ｓ８７５の処理で、ＦＡＸ送信先番号の先頭に０５０が存在しない場合は（Ｓ８７５：いいえ）、通信先機器はＰＳＴＮ網４を利用する機器（例えば電話機４ａ相当のファクシミリ装置）であり、自機側通信網がＩＰ網５で他機側通信網がＰＳＴＮ網４となるので、この場合は、初期通信速度をＶ．１７  １４４００ｂｐｓに設定する（Ｓ８８５）。
【０１７４】
以上説明したＳ８６５〜Ｓ８８５の処理によって、初期通信速度の設定が行われたら、続いて、実際の通信処理に移行する。
なお、以上説明した処理の中で、初期通信速度の設定が完了した後に実行される実際の通信処理は、図１６に示すような処理であり、まず、ファクシミリデータを送受信するための通信処理が行われ（Ｓ８９０）、この通信処理によって全てのファクシミリデータの送受信を終えたら、通信終了処理が行われ（Ｓ９００）、回線が開放されて（Ｓ９１０）、Ｓ７０５の処理へと戻る。
【０１７５】
［上記ファクシミリ伝送処理による効果］
以上説明した複合機１によれば、ファクシミリの受信時には、アダプタ３から伝送されてくる着信通知用信号に基づいて、自機が利用している自機側通信網がＰＳＴＮ網４であるかＩＰ網５であるかを特定し、通信先機器が利用している他機側通信網から伝送されてくる発信元番号情報に基づいて、他機側通信網がＰＳＴＮ網４であるかＩＰ網５であるかを特定している。
【０１７６】
また、ファクシミリの送信時には、通信先機器の電話番号やその電話番号の先頭に付加される番号（例えば、００００）に基づいて、自機が利用する自機側通信網がＰＳＴＮ網４であるかＩＰ網５であるかを特定し、通信先機器の電話番号に基づいて、他機側通信網がＰＳＴＮ網４であるかＩＰ網５であるかを特定している。
【０１７７】
そして、特定した自機側通信網および他機側通信網の組み合わせに応じて初期通信速度を選択することで、異なる通信速度でファクシミリ画像の伝送を行っている。したがって、これら自機側通信網や他機側通信網の違いがあっても、通信先機器との間で同一の通信速度でしかファクシミリ画像を伝送できない通信装置とは異なり、遅延が発生しやすいにもかかわらず過度に通信速度が高速になったり、遅延が発生しにくいにもかかわらず過度に通信速度が低速になったりすることがない。
【０１７８】
以上、本発明の実施形態について説明したが、本発明は上記の具体的な一実施形態に限定されず、この他にも種々の形態で実施することができる。
例えば、上記実施形態では、本発明の通信装置の構成を持った複合機１を例示したが、複合機１以外の通信装置、例えば、電話機やファクシミリ装置に本発明を適用してもよいのはもちろんである。
【０１７９】
また、上記実施形態では、説明が煩雑になるのを避けるため、０９０で携帯電話網を識別する旨の説明を行ったが、周知の通り、０８０、０７０なども携帯電話網を示す番号なので、これら０９０以外の番号についても、携帯電話網として識別すると好ましい。
【０１８０】
同様にＰＳＴＮ網と識別すべき番号も、上記実施形態では、先頭が１から始まる番号（１１０、１１９など）や、アダプタ３の仕様として設定されている００００などを例示したが、例えば、日本国内では、０１２０や０９９０などが、ＰＳＴＮ網経由の通信で利用される番号なので、これらの番号でＰＳＴＮ網を識別するようにしてもよい。
【０１８１】
さらに、近年のＩＰ電話機や携帯電話機の普及に伴い、今後も番号の割り当てや再編が行われる可能性があるので、そのような新たな番号を本発明に取り入れることができるのはもちろんである。すなわち、本発明を実施するに当たっては、実施形態として例示した０９０、０５０といった特定の番号を用いることが重要なことではない。
【０１８２】
また、通信先機器との間で伝送される音声信号としては、通信先機器へ伝送される音声信号と、通信先機器から伝送されてくる音声信号の２つがあり、これら２つの音声信号の両方を本発明による処理対象とすれば最も効果的であるが、いずれか一方の音声信号のみを本発明による処理対象としても相応の効果は得られる。すなわち、本発明の構成は、送話側および受話側の双方に適用してもよいし、送話側のみに適用してもよいし、受話側のみに適用してもよい。例えば、送話側に適用した場合は、自機側の利用者が発する音声が過小または過大でも適切な音量や音質に補正してから通信先機器へと伝送することができ、受話側に適用した場合は、通信先機器から伝送されてくる音声が過小または過大でも適切な音量や音質に補正してから、補正後の音声を自機側の利用者に聞かせることができる。
【０１８３】
加えて、図１においては、便宜的に、ＩＰ網接続用の通信線とＰＳＴＮ網接続用の通信線それぞれがアダプタ３に接続される接続形態を例示してあるが、この種のアダプタ３には、ＰＳＴＮ網接続用に用意されている単一の通信線をＩＰ網接続用としても兼用する接続形態となっているもの（例えばＡＤＳＬなど）もあり、これらの接続形態の内のどれを利用するかは、本実施形態においては任意である。
【図面の簡単な説明】
【０１８４】
【図１】複合機が接続される通信系全体の概略構成図。
【図２】複合機の内部構成を示す構成図。
【図３】ハンドセット音響パラメータテーブルの説明図。
【図４】複合機による通話処理のフローチャート（その１）。
【図５】複合機による通話処理のフローチャート（その２）。
【図６】複合機による通話処理のフローチャート（その３）。
【図７】複合機による通話処理のフローチャート（その４）。
【図８】複合機による通話処理のフローチャート（その５）。
【図９】複合機による通話処理のフローチャート（その６）。
【図１０】アダプタによる通信中継処理のフローチャート（その１）。
【図１１】アダプタによる通信中継処理のフローチャート（その２）。
【図１２】複合機によるファクシミリ伝送処理のフローチャート（その１）。
【図１３】複合機によるファクシミリ伝送処理のフローチャート（その２）。
【図１４】複合機によるファクシミリ伝送処理のフローチャート（その３）。
【図１５】複合機によるファクシミリ伝送処理のフローチャート（その４）。
【図１６】複合機によるファクシミリ伝送処理のフローチャート（その５）。
【符号の説明】
【０１８５】
１・・・複合機、２・・・通信線、３・・・アダプタ、４・・・ＰＳＴＮ網、４ａ・・・電話機、５・・・ＩＰ網、５ａ・・・ＩＰ電話機、６・・・携帯電話網、６ａ・・・携帯電話機、８・・・操作パネル、９・・・ＬＣＤ、１１・・・ＣＰＵ、１２・・・ＲＯＭ、１２ａ・・・ハンドセット音響パラメータテーブル、１３・・・ＥＥＰＲＯＭ、１４・・・ＲＡＭ、１４ａ・・・ハンドセット音響パラメータ、１５・・・画像メモリ、１９・・・回線Ｉ／Ｆ部、２０・・・モデム、２１・・・バッファ、２２・・・スキャナ、２３・・・符号化部、２４・・・復号化部、２５・・・プリンタ、２７・・・アンプ、２８・・・スピーカ、３０・・・バスライン、４７・・・ハンドセット、４８・・・フックスイッチ。
【図１】
2006339845.tif 000003
【図２】
2006339845.tif 000004
【図３】
2006339845.tif 000005
【図４】
2006339845.tif 000006
【図５】
2006339845.tif 000007
【図６】
2006339845.tif 000008
【図７】
2006339845.tif 000009
【図８】
2006339845.tif 000010
【図９】
2006339845.tif 000011
【図１０】
2006339845.tif 000012
【図１１】
2006339845.tif 000013
【図１２】
2006339845.tif 000014
【図１３】
2006339845.tif 000015
【図１４】
2006339845.tif 000016
【図１５】
2006339845.tif 000017
【図１６】
2006339845.tif 000018